(57)【特許請求の範囲】
【請求項１】
メディアを表示するシステムであって、
ユーザの身の回り品又は体に脱着可能に搭載可能な支持部材であって、
前記ユーザの身の回り品又は体上の織物の第１面上に配置されるように構成された第１磁石と、
前記織物の反対の第２面上に前記第１磁石に隣接して配置されるように構成され、かつ、前記織物上で前記支持部材を脱着可能に保持するために前記第１磁石と協働するように構成された第２磁石と、を備える支持部材と、
表示装置であって、前記表示装置は、
円形の視覚的湾曲ディスプレイを備え、
前記円形の視覚的湾曲ディスプレイとは反対側に位置決めされたスチールカバーであって、前記織物の前記第２面上で前記支持部材の前記第２磁石に脱着可能に搭載されるように構成されたスチールカバーを備え、
前記ユーザによって選択されたメディア及び前記メディアを表示するためのスケジュールを含む制御信号を受信するように構成され、前記メディアは、デジタルのテキスト、画像又はビデオのうちの少なくとも１つを含み、
前記スケジュールに従って、外部の観測者により閲覧可能な向きで前記メディアを表示するように構成される、表示装置と、を備えるシステム。
【請求項２】
前記支持部材は、前記第２磁石に結合されたボタンをさらに備える、請求項１に記載のシステム。
【請求項３】
前記円形の視覚的湾曲ディスプレイは可撓性を有する、請求項１に記載のシステム。
【請求項４】
前記支持部材の前記第１磁石及び前記第２磁石は磁気吸引可能なロックを規定する、請求項１に記載のシステム。
【請求項５】
前記表示装置は、前記円形の視覚的湾曲ディスプレイに動作可能に結合された誘導充電可能な電池をさらに備える、請求項１に記載のシステム。
【請求項６】
前記表示装置は、前記円形の視覚的湾曲ディスプレイをコントローラと通信させる通信バスをさらに備える、請求項１に記載のシステム。
【請求項７】
前記通信バスは、前記円形の視覚的湾曲ディスプレイを前記コントローラと無線通信させる通信インタフェースを備える、請求項６に記載のシステム。
【請求項８】
前記円形の視覚的湾曲ディスプレイは発光ダイオード画面を備える、請求項１に記載のシステム。
【請求項９】
前記円形の視覚的湾曲ディスプレイはプロジェクタを備える、請求項１に記載のシステム。
【請求項１０】
前記表示装置は、前記円形の視覚的湾曲ディスプレイによる表示のため、前記ユーザにより選択された向きで前記メディアを向けるように構成されたコントローラをさらに備える、請求項１に記載のシステム。
【請求項１１】
前記表示装置は、前記円形の視覚的湾曲ディスプレイによる表示のため、ジャイロスコープによって検出された重力加速ベクトルに平行な方向に沿って前記メディアを向けるように構成されたコントローラをさらに備える、請求項１に記載のシステム。
【請求項１２】
ユーザからのメディアへの応答を分析するシステムであって、
ユーザの身の回り品又は体に脱着可能に搭載可能な支持部材であって、
前記ユーザの身の回り品又は体上の織物の第１面上に配置されるように構成された第１磁石と、
前記織物の反対の第２面上に前記第１磁石に隣接して配置されるように構成され、かつ、前記織物上で前記支持部材を脱着可能に保持するために前記第１磁石と協働するように構成された第２磁石と、を備える支持部材と、
表示装置であって、前記表示装置は、
円形の表示部材を備え、
前記円形の表示部材とは反対側で前記表示装置上に位置決めされたスチールカバーであって、前記織物の前記第２面上で前記支持部材の前記第２磁石に脱着可能に搭載されるように構成されたスチールカバーを備え、
前記ユーザによって選択されたメディア及び前記メディアを表示するためのスケジュールを含む制御信号を受信するように構成され、前記メディアは、デジタルのテキスト、画像又はビデオのうちの少なくとも１つを含み、
前記メディアを表示するように構成され、
前記円形の表示部材により表示された前記メディアへの外部の観測者の応答を示す信号を収集するように構成されたセンサと、を備える表示装置と、を備えるシステム。
【請求項１３】
前記支持部材は、前記ユーザによって装着される帽子及びシャツの一方を備える前記織物に脱着可能に搭載可能である、請求項１２に記載のシステム。
【請求項１４】
前記円形の表示部材は表示画面を備える、請求項１２に記載のシステム。
【請求項１５】
前記表示装置は、前記応答に基づいて、前記ユーザと前記外部の観測者との間の関係値の品質のスコアを計算するように構成されたコントローラをさらに備える、請求項１２に記載のシステム。
【請求項１６】
前記関係値の品質は、信用、信頼、関与、価値生成、断絶、無気力、無関心、及び順守からなる群から選択される、請求項１５に記載のシステム。
【請求項１７】
前記表示装置は、前記センサによって収集された前記信号に示された前記応答に基づいて前記ユーザと前記外部の観測者との間の関係の品質を計算する関係分析エンジンがプログラムされたコントローラをさらに備える、請求項１２に記載のシステム。
【請求項１８】
前記表示装置は、トリガーを検出するように構成されたコントローラをさらに備え、前記表示装置は、前記スケジュールに従って前記トリガーに応答して前記外部の観測者によって閲覧可能な向きで前記メディアを表示するように構成される、請求項１に記載のシステム。
【請求項１９】
前記コントローラは、電子メールを受信すること、及び、テキストメッセージを受信することのうちの一方を含む前記トリガーを検出するように構成される、請求項１８に記載のシステム。
【請求項２０】
前記表示装置は、前記円形の表示部材による表示のため、前記ユーザによって選択された向きに前記メディアを向けるように構成されたコントローラをさらに備える、請求項１２に記載のシステム。
【請求項２１】
前記表示装置は、前記円形の表示部材による表示のため、ジャイロスコープによって検出された重力加速ベクトルに平行な方向に沿って前記メディアを向けるように構成されたコントローラをさらに備える、請求項１２に記載のシステム。
【発明の詳細な説明】
【技術分野】
【０００１】
相互参照
[0001]  本願は、２０１４年７月２１日に出願された米国仮特許出願第６２／０２７，０５９号、２０１４年８月１日に出願された米国仮特許出願第６２／０３２，３０６号、２０１４年１０月１日に出願された米国仮特許出願第６２／０５８，５５４号、及び２０１４年１１月１３日に出願された米国仮特許出願第６２／０７９，４８３号への優先権を主張するものであり、これらの各々の全体が参照により本明細書に組み入れられる。
【背景技術】
【０００２】
[0002]  人々は、生活の経験がどのようなものであるかに作用し影響する異なるエネルギー及び結果をもたらす全ての種類の意図及び表現並びに１日、１週間、１ヶ月、及び寿命を通して人々がいかに感じ、何を達成するかをもたらす結果を経験し、生み出す。意図、表現、及びエネルギーによっては、強力で容易に認識可能なものもあれば、より繊細であり、直観的にしか感じられないことが多いものもある。
【０００３】
[0003]  人が言うこと、考えること、及び表現することは、人及び人の周囲の人々に影響を及ぼすエネルギー及び結果を生み出す。よりポジティブな意図、表現、及びエネルギーを生み出すことは、人の生活に対して、及び社会全体に対しての改善及び好ましい結果をもたらす。
【０００４】
[0004]  ネガティブな結果及びネガティブ及び／又は考え抜かれていない意図、並びにネガティブなエネルギーは、多くの形でやってくる。よりポジティブでフォーカスされた意図、これらの意図の表現、及びポジティブなエネルギーを生み出すことは、ポジティブな人々の周りにいること、独り言、高揚する音楽、直観的メッセージ、直観で選んだ本、ポジティブな人々の周りにいること、ポジティブな人々とコミュニケーションをとること、ポジティブなアファメーションを実施すること等を含むが、これらに限定されない多くの形をとることができる。
【０００５】
[0005]  私達は、コミュニケーション、メッセージ、考え、フィーリング、波動等を含むが、これらに限定されないポジティブな意図及び表現のエネルギーを発すると、よりポジティブなものを引き寄せる。ニュートンの作用・反作用の法則がここで効果を現す。私達は、ネガティブに考えるか、又は起こって欲しいポジティブな結果にフォーカスしない場合、ネガティブを引き寄せるとともに、集合意識状況が偶然起きることの被害者でもあり、これは、いつの間にかエネルギーを奪う苦しみ及び繰り返しの終わりのないサイクルを生み出す。
【０００６】
[0006]  社会として、及び個人としてポジティブな結果を増大させる様々な方法がある。１番目に、私達の意図及び表現が私達の生活にいかに影響を及ぼすかについて悟ることである。２番目に、ポジティブな意図、集合意識表現、無気力の経験の低減、より大きな全体に結びついた発言、シェア、フィーリング、及び小さな自己よりも大きな何かとの関係をサポートする手段及び方法を生み出すことである。他に、愛、あるがままの自己を受け入れること、過去の怒り及び失望からの自己の解放、他の全ての人及び物事について執着しているありとあらゆる怒りを手放すこと、他人の行動及び怠慢について他人を批判し批難する理由を探すことを止めること、他人をコントロールしたいという欲望を手放すこと、あなたの時間、エネルギー、及びバイタリティを賢く使うこと、クリエイティブなビジュアライゼーション及びイマジネーションを不利益なことではなく利益となることに使うこと、感謝の態度をとること、幸せでいること、瞬間を感謝すること等が挙げられる。
【０００７】
[0007]  意識の進化に伴い、及び意識進化の必要性に伴い、私達は人として、私達の生活及び私達が生きているより大きなコミュニティに貢献する結果に影響を及ぼす能力及び力を有する。自己であろうと、家族であろうと、集団への帰属であろうと、近隣であろうと、都市であろうと、州であろうと、国であろうと、地球であろうと関係なく。
【０００８】
[0008]  自己及び他者に奉仕しながら、シェアし、報い、つながりを感じ、傾聴して貰っていると感じ、頼りにされていると感じ、尊敬されていると感じることは重要であり得る。
【発明の概要】
【０００９】
[0009]  本開示は、ユーザの頭部又はその近傍等でユーザに装着される、センサあり又はなしのウェアラブル装置を提供する。本開示のウェアラブル装置は、ユーザが受け入れるか、若しくは、シェアする画像及び／又は言葉の形態で、カスタマイズ可能でクリエイティブな自己表現を個人に提供し得る。
【００１０】
[0010]  本開示は、ユーザが自己表現を有することを可能にするウェアラブル装置を提供する。自己表現は変更可能であり得る。自己表現は、言葉、画像、及びそれらの組合せの形態であり得る。ウェアラブル装置は、言葉、画像、及びそれらの組合せの形態で、ダイナミックな個人のクリエイティブ自己表現を有する能力をユーザに提供することもできる。ウェアラブル装置は、ユーザと１人又は複数の他の個人とを結び付けることも可能であり得、頼られている等の他のユーザに、様々な異なる形態での集合表現及び可能な顕在を提供し得る。
【００１１】
[0011]  本開示のウェアラブル装置は、ユーザが、ユーザが気にし得る物事に社会的に繋がり、知らなかった可能性がある物事についてよりよく学習し、組織、慈善団体、及びイベントに寄付又は資源を提供することにより行動を起こし、個人の博愛主義者になることを可能にするプラットフォームに接続し得るダイナミックライフストロングバンドであり得る。本ウェアラブル装置は、自己表現に関してカスタマイズ可能なボタン又はバンド並びに社会的影響を可能にし得る表現及び社会的関与に関してカスタマイズ可能なダイナミックライフストロングバンドであり得る。
【００１２】
[0012]  ある例では、本ウェアラブル装置は、自己表現のためにユーザにより使用可能である。本ウェアラブル装置は、行動及び関与を可能にすることができる自己表現コネクション用の小型ボタン等のボタンであることができる。本ウェアラブル装置は、シャツジャケット若しくはキャップ等のユーザの衣服又はバッグ等の他の物体に装着することができる。本ウェアラブル装置は、車等の車両の後部に配置することができる。本ウェアラブル装置は、車両の、デジタルバンパーステッカー等のバンパーステッカーであることができる。
【００１３】
[0013]  本ウェアラブル装置は、瞬間的にカスタマイズ可能な自己表現を可能にすることができる。本ウェアラブル装置は、社会的関与を生じさせ得る社会的な繋がり、学習、及び行動実行を可能にすることができるプラットフォームに接続することができる。
【００１４】
[0014]  本ウェアラブル装置には、ジオロケーションユニットを備えることができ、このユニットは、本ウェアラブル装置の位置を特定できるようにすることができる。ジオロケーションユニットは、無線三角測量用の全地球測位システム（ＧＰＳ）又は無線受信機（例えば、ＷｉＦｉ）を含むことができる。これにより、スタジアム及びグループイベント及び個人の日々の生活等の他の設定等の様々な場所で本ウェアラブル装置を使用することが可能になり得る。
【００１５】
[0015]  本ウェアラブル装置は、ユーザの電子装置のアプリケーション（アプリ）に接続可能であり得る。アプリは、自己表現、表現を中心とした社会的機会、並びに慈善団体及び組織への資源の流れをサポートすることができる。
【００１６】
[0016]  本ウェアラブル装置は、容量性タッチスクリーン又は抵抗性タッチスクリーン等のタッチスクリーンを有することができる。タッチスクリーンは、表現のスクロール及び生成、キューのアニメーション機会、並びにビデオ及びフルアニメーションを可能にすることができる。
【００１７】
[0017]  本ウェアラブル装置は、電力管理機能を有するディスプレイを有することができる。ディスプレイは調光式であることができる。例えば、ディスプレイは、ユーザにより選択されたスケジュール等のスケジュールに従って、又は所与の目標（例えば、寄付目標）の達成等のトリガーイベントが発生すると、減光又はオフにするか、又はオンにすることができる。
【００１８】
[0018]  本ウェアラブル装置は、衣服（例えば、キャップ）又は車両へのモジュールであることができる。ある例では、本ウェアラブル装置はキャップ又は車のモジュールである。
【００１９】
[0019]  ある場合には、本ウェアラブル装置は時計ではない。例えば、本ウェアラブル装置は、時間を知らせるか、又はインターネットを閲覧する主機能を有さないことがある。本ウェアラブル装置は、リストバンド等のバンドを有さないことがある。
【００２０】
[0020]  本開示の態様は、ユーザにより選択されたメディアを表示又は投射するシステムであって、ユーザの体に脱着可能に搭載可能な支持部材と、支持部材に搭載される視覚的湾曲ディスプレイであって、視覚的湾曲ディスプレイは、１人又は複数の観測者により閲覧可能なように、ユーザにより選択されるメディアを表示又は投射するように構成され、メディアはテキスト、画像、及びビデオのうちの少なくとも１つを含む、視覚的湾曲ディスプレイと、視覚的湾曲ディスプレイと通信するコントローラであって、コントローラは、ユーザの表示及び／又はロケーション嗜好又はスケジュールに従ってメディアを表示又は投射するように、視覚的湾曲ディスプレイを向けるようにプログラムされる、コントローラと、を含む、システムを提供する。
【００２１】
[0021]  ある実施形態では、支持部材はボタンである。ある実施形態では、視覚的湾曲ディスプレイはモジュール式である。ある実施形態では、視覚的湾曲ディスプレイは可撓性を有する。ある実施形態では、支持部材は、ピン、クリップ、フック、ループ、ストラップ、又は磁気吸引可能なロックを含む。ある実施形態では、本システムは、視覚的湾曲ディスプレイに動作可能に結合された誘導充電可能な電池をさらに含む。
【００２２】
[0022]  ある実施形態では、視覚的湾曲ディスプレイは円形ディスプレイである。ある実施形態では、視覚的湾曲ディスプレイは、支持部材から脱着可能である。
【００２３】
[0023]  ある実施形態では、本システムは、視覚的湾曲ディスプレイをコントローラと通信させる通信バスをさらに含む。ある実施形態では、通信バスは、支持部材に搭載される。ある実施形態では、通信バスは、視覚的湾曲ディスプレイをコントローラと無線通信させる通信インタフェースを含む。
【００２４】
[0024]  ある実施形態では、コントローラは支持部材に搭載される。ある実施形態では、視覚的湾曲ディスプレイは発光ダイオード画面である。ある実施形態では、視覚的湾曲ディスプレイはプロジェクタである。
【００２５】
[0025]  ある実施形態では、本システムは、コントローラと通信する光学センサ、圧力センサ、又は近接性センサをさらに含む。ある実施形態では、本システムは、コントローラと通信するカメラをさらに含む。
【００２６】
[0026]  ある実施形態では、本システムは、追加の視覚的湾曲ディスプレイをさらに含む。ある実施形態では、追加の視覚的湾曲ディスプレイは、視覚的湾曲ディスプレイと通信する。
【００２７】
[0027]  ある実施形態では、コントローラは、視覚的湾曲ディスプレイを通して、ユーザにより選択された向きで表示又は投射されるように、メディアを向けるようにプログラムされる。ある実施形態では、コントローラは、視覚的湾曲ディスプレイを通して、重力加速ベクトルに平行する方向に沿って表示又は投射されるように、メディアを向けるようにプログラムされる。ある実施形態では、本システムはジャイロスコープをさらに含み、コントローラは、ジャイロスコープを使用して視覚的湾曲ディスプレイの向きを決定するようにプログラムされる。
【００２８】
[0028]  ある実施形態では、支持部材は、ユーザの頭部又は胴体に搭載可能である。ある実施形態では、支持部材は、ユーザの手首に搭載可能ではない。ある実施形態では、支持部材は、ユーザの片手で体に搭載可能及び脱着可能である。
【００２９】
[0029]  本開示の別の態様は、ユーザにより選択されるメディアを表示又は投射する方法であって、（ａ）（ｉ）ユーザの体に脱着可能に搭載される支持部材及び（ｉｉ）支持部材に搭載される視覚的湾曲ディスプレイを提供することであって、視覚的湾曲ディスプレイは、１人又は複数の観測者により閲覧可能なように、ユーザにより選択されるメディアを表示又は投射するように構成され、メディアはテキスト、画像、及びビデオのうちの少なくとも１つを含む、提供することと、（ｂ）コンピュータメモリ内のユーザの表示及び／又はロケーション嗜好又はスケジュールにアクセスすることと、（ｃ）視覚的湾曲ディスプレイを使用して、ユーザの表示及び／又はロケーション嗜好又はスケジュールに従ってメディアを表示又は投射することとを含む、方法を提供する。
【００３０】
[0030]  ある実施形態では、本方法は、視覚的湾曲ディスプレイを通して、ユーザにより選択される向きで表示又は投射されるように、メディアを向けることをさらに含む。ある実施形態では、本方法は、視覚的湾曲ディスプレイを通して、重力加速ベクトルに平行する方向に沿って表示又は投射されるように、メディアを向けることをさらに含む。
【００３１】
[0031]  ある実施形態では、本方法は、メディアを表示又は投射する入力をユーザから受信することをさらに含む。ある実施形態では、入力は、視覚的湾曲ディスプレイ又はユーザの電子装置で受信される。ある実施形態では、本方法は、表示及び／又はロケーション嗜好又はスケジュールをユーザから受信することと、表示及び／又はロケーション嗜好又はスケジュールをコンピュータメモリに記憶することとをさらに含む。
【００３２】
[0032]  ある実施形態では、表示及び／又はロケーション嗜好又はスケジュールは、ユーザのモバイル電子装置から受信される。ある実施形態では、本方法は、ユーザの動きを検出することと、動きが検出されると、メディアを表示又は投射することとをさらに含む。
【００３３】
[0033]  本開示の別の態様は、ユーザからのメディアへの応答を分析するシステムであって、ユーザの体に脱着可能に搭載可能な支持部材と、支持部材に搭載される表示部材であって、表示部材は、ユーザにより選択されるメディアを表示又は投射するように構成され、メディアはテキスト、画像、及びビデオのうちの少なくとも１つを含む、表示部材と、表示部材により表示又は投射されるメディアへの少なくとも１人の個人の応答を示す１つ又は複数の信号を収集するセンサと、表示部材及びセンサと通信するコントローラであって、コントローラは、（ｉ）メディアを表示又は投射するように表示部材を向け、（ｉｉ）センサから１つ又は複数の信号を受信し、（ｉｉｉ）少なくとも部分的にセンサから受信される１つ又は複数の信号に基づいて、応答を特定するようにプログラムされる、コントローラと、を含む、システムを提供する。
【００３４】
[0034]  ある実施形態では、支持部材は、ユーザの帽子又はシャツに脱着可能に搭載可能である。ある実施形態では、表示部材は表示画面である。ある実施形態では、表示画面は湾曲しているか、又は可撓性を有する。ある実施形態では、本システムは、コントローラと通信するカメラをさらに含む。
【００３５】
[0035]  ある実施形態では、コントローラは、少なくとも部分的に応答に基づいて、ユーザと少なくとも１人の他の個人との間の関係値の品質を示すスコアを特定するようにプログラムされる。ある実施形態では、コントローラは、ある品質の関係値から別の品質の関係値への遷移間の１つ又は複数のウェイポイントを特定するようにプログラムされる。ある実施形態では、品質の関係値は、信用、信頼、関与、価値生成、断絶、無気力、無関心、及び順守からなる群から選択される。
【００３６】
[0036]  ある実施形態では、少なくとも１人の個人はユーザを含む。ある実施形態では、コントローラには、ユーザと１人又は複数の他の人又はエンティティとの間の１つ又は複数の関係の品質を特定又は定量化する関係分析エンジンがプログラムされる。
【００３７】
[0037]  本開示の別の態様は、ユーザからのメディアへの応答を分析する方法であって、（ａ）（ｉ）ユーザの体に脱着可能に搭載される支持部材、（ｉｉ）支持部材に搭載される表示部材であって、表示部材は、ユーザにより選択されるメディアを表示又は投射するように構成され、メディアはテキスト、画像、及びビデオの少なくとも１つを含む、表示部材、及び（ｉｉｉ）表示部材により表示又は投射されるメディアへの少なくとも１人の個人の応答を示す１つ又は複数の信号を収集するセンサを提供することと、（ｂ）表示部材を使用して、メディアを表示又は投射することと、（ｃ）センサからの１つ又は複数の信号を受信することと、（ｄ）少なくとも部分的にセンサから受信される１つ又は複数の信号に基づいて、応答を特定することとを含む、方法を提供する。
【００３８】
[0038]  ある実施形態では、本方法は、少なくとも部分的に応答に基づいて、ユーザと少なくとも１人の個人との間の関係値の品質を示すスコアを特定することをさらに含む。ある実施形態では、本方法は、ある品質の関係値から別の品質の関係値への遷移間の１つ又は複数のウェイポイントを特定することをさらに含む。
【００３９】
[0039]  本開示の別の態様は、１つ又は複数のコンピュータプロセッサにより実行されると、上記又は本明細書の他の箇所での人の方法を実施する機械実行可能コードを含むコンピュータ可読媒体を提供する。
【００４０】
[0040]  本開示の追加の態様及び利点は、以下の詳細な説明から当業者に容易に明らかになり、本開示の例示的な実施形態のみが示され説明される。認識されるように、本開示は他の異なる実施形態が可能であり、その幾つかの細部は、様々な明確な点で変更可能であり、これらは全て本開示から逸脱しない。したがって、図面及び説明は、限定的としてではなく例示的な性質のものとして見なされるべきである。
【００４１】
参照による援用
[0041]  本明細書において言及される全ての公開物、特許、及び特許出願は、個々の公開物、特許、又は特許出願のそれぞれがまるで、参照により援用されることが特に個々に示されるかのような程度と同じ程度まで参照により本明細書に援用される。参照により援用される公開物及び特許又は特許出願が、本明細書に含まれる本開示と矛盾する限り、本明細書が、任意のそのような矛盾材料よりも優先され、及び／又は上位になることが意図される。
【００４２】
図面の簡単な説明
[0042]  本発明の新規の特徴は、添付の特許請求の範囲において特に記載される。本発明の特徴及び利点のよりよい理解が、本発明の原理が利用される例示的な実施形態を記載する以下の詳細な説明と、添付図面（本明細書では「図（figure）」及び「図（FIG.）とも）とを参照することにより得られる。
【図面の簡単な説明】
【００４３】
【図１】表示画面を有する表示装置を示す。
【図２】表示画面を有する別の表示装置を示す。
【図３】キャップ上のプロジェクタビルボードを示す。
【図４】本開示の一実施形態による関係分析エンジンのブロック図を示す。
【図５】本開示の一実施形態での異なる状況による、送信ノードと受信ノードとの間で伝送されるメッセージの流れ図を示す。
【図６Ａ】本開示の一実施形態による、１つ又は複数の関係を特定するためのパラメータの選択を示す。
【図６Ｂ】本開示の一実施形態による、図６Ａの選択に関連付けられた結果及び観測の分析及び表示を示す。
【図７Ａ】本開示の一実施形態による、１つ又は複数の関係を特定するためのパラメータの選択を示す。
【図７Ｂ】本開示の一実施形態による、図７Ａの選択に関連付けられた１つ又は複数の関係の分析及び表示を示す。
【図８】本開示の一実施形態による、ある品質の関係値から別の品質の関係値への遷移間のウェイポイントの図を示す。
【図９】本開示の一実施形態による、ある品質の関係値から別の品質の関係値への遷移間のウェイポイントの別の図を示す。
【図１０】本開示の一実施形態による、関係値の品質と、過去値、現在値、及び予測値を表すアイコンを有する関連付けられた関係インジケータとを示す。
【図１１Ａ】本開示のウェアラブル装置と併用することができるクラウド基盤の実施形態を示す。
【図１１Ｂ】本開示のウェアラブル装置と併用することができるクラウド基盤の実施形態を示す。
【図１１Ｃ】本開示のウェアラブル装置と併用することができるクラウド基盤の実施形態を示す。
【図１１Ｄ】本開示のウェアラブル装置と併用することができるクラウド基盤の実施形態を示す。
【図１１Ｅ】本開示のウェアラブル装置と併用することができるクラウド基盤の実施形態を示す。
【図１２】本開示のウェアラブル装置と併用することができるモバイル装置又は計算装置の実施形態を示す図である。
【図１３】本開示のウェアラブル装置と併用することができるモバイル装置又は計算装置の実施形態を示す図である。
【図１４】本開示のウェアラブル装置と併用することができるモバイル装置又は計算装置の実施形態を示す図である。
【図１５Ａ】本開示の様々な実施形態において、複数の用途を有し、調整可能な様々なモジュール式バンドを示す。
【図１５Ｂ】本開示の様々な実施形態において、複数の用途を有し、調整可能な様々なモジュール式バンドを示す。
【図１５Ｃ】本開示の様々な実施形態における、複数の用途を有し、調整可能な様々なモジュール式バンドを示す。
【図１６Ａ】本開示の様々な実施形態における、脱着可能な画面バンドと、別個の脱着可能なパーツとを有するモジュール式帽子を示す。
【図１６Ｂ】本開示の様々な実施形態における、脱着可能な画面バンドと、別個の脱着可能なパーツとを有するモジュール式帽子を示す。
【図１７】発光ダイオード（ＬＥＤ）駆動回路を示す。
【図１８】リストバンドに搭載されたディスプレイを示す。
【図１９Ａ】モバイル装置等の様々な物体に搭載することができるウェアラブル装置を示す。
【図１９Ｂ】モバイル装置等の様々な物体に搭載することができるウェアラブル装置を示す。
【図１９Ｃ】モバイル装置等の様々な物体に搭載することができるウェアラブル装置を示す。
【図１９Ｄ】モバイル装置等の様々な物体に搭載することができるウェアラブル装置を示す。
【図１９Ｅ】モバイル装置等の様々な物体に搭載することができるウェアラブル装置を示す。
【図１９Ｆ】モバイル装置等の様々な物体に搭載することができるウェアラブル装置を示す。
【図１９Ｇ】モバイル装置等の様々な物体に搭載することができるウェアラブル装置を示す。
【図１９Ｈ】モバイル装置等の様々な物体に搭載することができるウェアラブル装置を示す。
【図１９Ｉ】モバイル装置等の様々な物体に搭載することができるウェアラブル装置を示す。
【図１９Ｊ】モバイル装置等の様々な物体に搭載することができるウェアラブル装置を示す。
【図１９Ｋ】モバイル装置等の様々な物体に搭載することができるウェアラブル装置を示す。
【図２０】本明細書に提供される方法を実施するようにプログラムされるか、又は別の方法で構成されるコンピュータ制御システムを示す。
【図２１】制御ユニットを示す。
【図２２Ａ】ユーザにより選択されるメディアを表示するように構成される表示装置を示す。
【図２２Ｂ】ユーザにより選択されるメディアを表示するように構成される表示装置を示す。
【図２２Ｃ】ユーザにより選択されるメディアを表示するように構成される表示装置を示す。
【図２２Ｄ】ユーザにより選択されるメディアを表示するように構成される表示装置を示す。
【図２３Ａ】表示装置の様々な構築段階を示す。
【図２３Ｂ】表示装置の様々な構築段階を示す。
【図２３Ｃ】表示装置の様々な構築段階を示す。
【図２３Ｄ】表示装置の様々な構築段階を示す。
【図２３Ｅ】表示装置の様々な構築段階を示す。
【図２４】表示画面を有する表示装置を示す。
【図２５】屈曲性コネクタ及びアクティブタッチエリアを有する表示装置を示す。
【図２６】ボタンであるウェアラブル装置の例を示す。
【図２７】磁気アタッチメントを有するウェアラブル装置の例を示す。
【図２８】クリップを有するウェアラブル装置の例を示す。
【図２９】ストラップを有するウェアラブル装置の例を示す。
【図３０】ユーザのシャツにウェアラブル装置を装着しているユーザを示す。
【図３１】ウェアラブル装置を充電する充電器を示す。
【図３２Ａ】ウェアラブル装置の別の例の分解組立図を示す。
【図３２Ｂ】ウェアラブル装置の別の例の分解組立図を示す。
【図３３Ａ】ウェアラブル装置の別の例の分解組立側面図を示す。
【図３３Ｂ】ウェアラブル装置の別の例分解組立断面図を示す。
【図３４Ａ】ウェアラブル装置の別の例の概略を示す。
【図３４Ｂ】ウェアラブル装置の別の例の概略を示す。
【発明を実施するための形態】
【００４４】
[0075]  本発明の様々な実施形態について本明細書に示し説明したが、そのような実施形態が単なる例として提供されることが当業者には明らかである。本発明から逸脱せずに、多くの変形、変更、及び置換を当業者は思い付き得る。本明細書に記載される本発明の実施形態への様々な代替を利用し得ることを理解されたい。
【００４５】
[0076]  「メディア」という用語は、本明細書で使用される場合、一般にテキスト、サウンド、画像、又はビデオを指す。メディアは、テキスト、サウンド、画像、及び／又はビデオの組合せを含むことができる。メディアは、テキスト及び画像、テキスト及びビデオ、又はビデオを含むことができる。メディアの例は、テキストファイル、オーディオファイル、画像ファイル、又はビデオファイルを含む。メディアはユーザにより編集可能であり得る。
【００４６】
[0077]  本明細書で使用される場合、「エンジン」という用語は、目的を遂行するために使用することができるソフトウェア、ファームウェア、ハードウェア、又は他の構成要素を指す。エンジンは通常、不揮発性メモリ（補助メモリとも呼ばれる）に記憶されたソフトウェア命令を含む。ソフトウェア命令が実行されると、ソフトウェア命令の少なくともサブセットは、プロセッサによりメモリ（主メモリとも呼ばれる）にロードすることができる。次に、プロセッサはメモリ内のソフトウェア命令を実行する。プロセッサは、共有プロセッサ、専用プロセッサ、又は供給プロセッサ若しくは専用プロセッサの組合せであり得る。典型的なプログラムは、ハードウェア構成要素（Ｉ／Ｏ装置）への呼び出しを含み、これは通常、ドライバの実行を必要とする。ドライバは、エンジンの部分として考慮されることもあれば、されないこともあるが、その区別は重要ではない。
【００４７】
[0078]  本明細書で使用される場合、「データベース」という用語は、中央であるか、分散であるか、関係データベースであるか、それとも他のデータベースであるかに関係なく、データを記憶する任意の既知又は好都合な手法を包含するように広く使用される。
【００４８】
[0079]  本明細書で使用される場合、「モバイル装置」は、AppleのiPhone（登録商標）等のセル電話、AppleのiPod Touches（登録商標）、AppleのiPads（登録商標）、GoogleのAndroid（登録商標）オペレーティングシステムに基づくモバイル装置等の他のポータブル電子装置、並びに少なくとも信号を受信し、必要であれば復号化し、トランザクションサーバと情報を交換して、購入者及び／又は販売者のアカウント情報を検証し、トランザクションを実行し、レシートを生成することが可能なソフトウェア、ファームウェア、ハードウェア、又はそれらの組合せを含む任意の他のポータブル電子装置を含むが、これらに限定されない。モバイル装置の典型的な構成要素は、フラッシュＲＯＭのような永続的メモリ、ＳＲＡＭのようなランダムアクセスメモリ、カメラ、電池、ＬＣＤドライバ、ディスプレイ、セルラアンテナ、スピーカ、BLUETOOTH（登録商標）回路、及びＷＩＦＩ回路を含み得るが、これらに限定されず、ここで、永続的メモリは、モバイル装置のプログラム、アプリケーション、及び／又はオペレーティングシステムを含み得る。
【００４９】
[0080]  本明細書で使用される場合、「ソーシャルネットワーク」及び「ＳＮＥＴ」という用語は、装置及び／又は個人のグループ又はソーシャル構造、並びにそのような装置及び／又は個人間の結び付き、リンク、及び相互依存性を含む。ＳＮＥＴ内又はＳＮＥＴに加入しているメンバ又はアクタ（装置を含む）は、本明細書では、「ノード」、「ソーシャル装置」、「ＳＮＥＴメンバ」、「ＳＮＥＴ装置」、「ユーザ装置」、及び／又は「モジュール」と呼ばれることがある。加えて、「ＳＮＥＴサークル」、「ＳＮＥＴグループ」、及び「ＳＮＥＴサブサークル」という用語は一般に、ソーシャル装置を含むソーシャルネットワークを示し、文脈的に適切である場合、人間であるＳＮＥＴメンバ及びパーソナルエリアネットワーク（「ＰＡＮ」）を示す。
【００５０】
[0081]  本明細書で使用される場合、「ウェアラブル装置」は一般に、個人が装着することができる何かであり、ある実施形態では、ユーザの皮膚及び横顔に接触する裏面を含むことができる。ウェアラブル装置の例としては、キャップ、帽子、王冠、アームバンド、リストバンド、装飾品、ベルト、Ｔシャツ、ユーザの頭部及び／又は体の他の部位に取り付けられるか、又は搭載される、言葉及び／又は画像を表示することができる画面、額の前で浮遊することができる言葉又は画像のホログラフィックディスプレイ画像又はプロジェクタによりビルボード上に、額のビルボードから言葉が投射される投射ディスプレイ等を含むが、これらに限定されない、形態に関係ないヘッドディスプレイ／ヘッドカバーディスプレイが挙げられる。ウェアラブル装置は、バッグ、バックパック、又ハンドバックを含むこともできる。「ウェアラブル装置」という用語は、装置がモニタリング要素を含む場合、モニタリング装置であることもできる。
【００５１】
[0082]  本明細書で使用される場合、「コンピュータ」という用語は、有限集合の算術演算又は論理演算を実行するようにプログラムすることができる装置である。コンピュータは、仕立てられた機能又は目的に向けてプログラムすることができる。一連の動作は容易に変更することができるため、コンピュータは、二種類以上の問題を解決することができる。コンピュータは、少なくとも１つの処理要素、通常は一形態のメモリを有する中央演算処理装置（ＣＰＵ）の含むことができる。記憶された情報に基づいて動作の順序を変更することができるシーケンシング・制御ユニットを含めることができる。周辺機器により、情報を外部ソースから検索し、動作の結果を保存し検索することができる。
【００５２】
[0083]  本明細書で使用される場合、「インターネット」という用語は、標準インターネットプロトコルスイート（ＴＣＰ／ＩＰ）を使用して、何十億人もの世界中のユーザにサービングする相互接続されたコンピュータネットワークのグローバルシステムである。インターネットは、広範囲の電子、無線、光学ネットワーキング技術によりリンクされたローカルからグローバル範囲の何百万ものプライベートネットワーク、パブリックネットワーク、アカデミックネットワーク、ビジネスネットワーク、及び政府ネットワークを含み得る。インターネットは、ワールドワイドウェブ（ＷＷＷ）の相互リンクされたハイパーテキスト文書及び電子メールをサポートする基盤等の広範囲の情報リソースサービスを搬送する。インターネットの通信基盤は、アーキテクチャの様々な側面を制御するハードウェア構成要素及びソフトウェアレイヤのシステムを含み得る。
【００５３】
[0084]  本明細書で使用される場合、「エクストラネット」という用語は、外部からの被制御アクセスを可能にするコンピュータネットワークである。エクストラネットは、他の全てのインターネットユーザから分離して、提携企業、ベンダー、供給業者であることができる組織外のユーザに拡張される組織のイントラネットの拡張であることができる。エクストラネットは、公開インターネット又は一般大衆はアクセスできず、２つ以上の企業の管理者により管理される幾つかの他の伝送システムにマッピングされるイントラネットであることができる。エクストラネット様式のネットワークの例としては、複数の組織に属し、相互接続され、リモートダイアルアップを使用してアクセスされるＬＡＮ又はＷＡＮ、複数の組織に属し、相互接続され、専用回線を使用してアクセスされるＬＡＮ又はＷＡＮ、複数の組織に属し、公衆回線、時にはＩＳＰを介してセキュアで、ある場合では暗号化されたネットワーク接続を生成する特別な「トンネリング」ソフトウェアを使用して、リモートユーザに使用を拡張するＬＡＮ又はＷＡＮで構成される仮想プライベートネットワーク（ＶＰＮ）が挙げられるが、これらに限定されない。
【００５４】
[0085]  本明細書で使用される場合、「イントラネット」という用語は、セキュリティポリシー及びネットワーク管理を制御する１つの組織により所有されるネットワークである。イントラネットの例としては、ローカルエリアネットワーク（ＬＡＮ）、ダイアルアップアクセスを用いてリモート従業員に使用を拡張するＬＡＮで構成し得る広域ネットワーク（ＷＡＮ）、専用通信回線を使用して相互接続されたＬＡＮで構成されるＷＡＮ、公衆回線、時にはインターネットサービスプロバイダ（ＩＳＰ）を介してセキュアで、ある場合では暗号化された接続を生成する特別な「トンネリング」ソフトウェアを使用して、リモート従業員又はネットワークに使用を拡張するＬＡＮ又はＷＡＮで構成される仮想プライベートネットワーク（ＶＰＮ）が挙げられるが、これらに限定されない。
【００５５】
[0086]  本開示では、インターネット、エクストラネット、及びイントラネットはまとめて（「ネットワークシステム」）と呼ばれる。
【００５６】
[0087]  本明細書で使用される場合、「ユーザ」という用語は、本開示の装置、システム、及び方法を使用する人物を含むが、それに限定されない。ユーザは、人が、習慣、エクササイズ、ダイエット、医学的状況及び治療、キャリア、金融、感情状態等を含むが、これらに限定されない日常生活の過ごし方を含むが、これらに限定されない、健康の維持に興味を持ち、健康的なライフスタイル及び／又は生理学的バランスを維持することに興味を持ち、ライフスタイルの状況のモニタリングに興味を持つことに興味を持つ人物であり得る。ユーザは、医師のケアを受けている人物であり得る。
【００５７】
[0088]  本明細書で使用される場合、「センサ」という用語は、ユーザ又はユーザの環境等からデータを収集するのに使用される装置を含む。例えば、センサは、心臓モニタリング用のものであることができ、心臓モニタリングは一般に、心調律に対するユーザの状態を評価する連続心電図法を指す。この目的で歩行ユーザが装着する小型モニタは、ホルターモニタとして知られている。心臓モニタリングは、侵襲的スワンガンツカテーテルを介した心拍出量モニタリングを含むこともできる。別の例として、センサは血行動態モニタリングに使用することもでき、このモニタリングは、循環器系内の血圧及び血流をモニタリングする。血圧は、挿入された血圧トランスデューサ組立体を通して侵襲的に、又は膨張式血圧カフを用いて非侵襲的に測定することができる。別の例として、センサは、ＳｐＯ２と呼ばれる血中飽和酸素濃度の測定を含むパルスオキシメトリ及びＥｔＣＯ２又は呼気終末二酸化炭素濃度と呼ばれるＣＯ２測定を含む赤外線フィンガーカフ、カプノグラフィにより測定される等の呼吸モニタリングに使用することができる。そのようにモニタリングされる呼吸速度は、ＡＷＲＲ又は気道呼吸速度と呼ばれる。別の例として、センサは、胸部トランスデューサベルト、ＥＣＧチャネル、又はカプノグラフを介して、及び／又は頭蓋内圧等の神経系モニタリングを通して呼吸速度モニタリングに使用することができる。特別なユーザモニタは、脳波図、ガス麻酔濃度、バイスペクトルインデックス（ＢＩＳ）、グルコースセンサを使用した血糖値モニタリング等を組み込むことができる。別の例として、センサは出産モニタリングに使用することができる。これは、出産の様々な側面をモニタリングするセンサを使用して実行することができる。別の例として、センサは、一実施形態では、熱電トランスデューサを含む接着性パッドを通してのものである体温モニタリング及び／又は人間が気付くことができる前に、ストレスレベル兆候が生じた場合に警告を提供し、アラート示唆を提供するためのストレスモニタリングに使用することができる。別の例として、センサは、てんかんモニタリング、毒性モニタリング、及び／又は一般的な生活パラメータモニタリングに使用することができる。
【００５８】
視覚的ディスプレイ
[0089]  本開示の態様は、ユーザにより選択されたメディアを表示又は投射するシステムを提供し、このシステムは、ユーザの体に脱着可能に搭載可能な支持部材と、支持部材に搭載されるディスプレイとを含む。ディスプレイは、１人又は複数の観測者により閲覧可能なように、ユーザにより選択されたメディアを表示又は投射するように構成することができる。メディアは、テキスト、画像、及びビデオのうちの少なくとも１つを含むことができる。支持部材は、ユーザの体上の衣服（例えば、シャツ、パンツ、若しくは帽子）又は例えば、ストラップ若しくはバッグ等のユーザの体に搭載される他の物体に脱着可能に搭載可能であることができる。システムは、ディスプレイと通信するコントローラを含むことができる。コントローラは、ユーザの表示及び／又はロケーション嗜好又はスケジュールに従ってメディアを表示又は投射するようディスプレイを向けるようにプログラムすることができる。ディスプレイは、支持部材に搭載されると、表示装置を生成することができる。
【００５９】
[0090]  ユーザの表示及び／又はロケーション嗜好又はスケジュールは、表示スケジュール、ロケーションスケジュール、又は両方であることができる。ユーザは、表示及び／又はロケーション嗜好又はスケジュールを使用して、メディアが表示又は投射される様式を設定することができる。例えば、ユーザは、日中、夜間、又は１日、１週間、１ヶ月、若しくは１年中の他の時間にメディアを表示又は投射したいことがある。ユーザは、ランダムな時点で、ユーザによる手動入力時に、又は両方でメディアを表示又は投射したいことがある。ユーザは、ユーザが電子メール（ｅメール）、テキストメッセージを受信する、会合を開く、又は他の行動若しくはトリガー等の行動又はトリガーに応答して、メディアを表示又は投射したことがある。メディアはユーザの状況に基づいて表示し得る。
【００６０】
[0091]  ユーザは、ユーザのジオロケーション装置により特定し得るように、所与のロケーションにいるとき、メディアを表示又は投射したいことがある。ジオロケーション装置は、システム又は表示装置の一部であり得る。
【００６１】
[0092]  ディスプレイは様々な形状及びサイズを有することができる。ディスプレイは、三角形、円形、楕円形、正方形、矩形、又はそれらの形状の部分的形状若しくは組合せであることができる。
【００６２】
[0093]  ある例では、ディスプレイは、円形若しくは楕円形であるか、又は円形若しくは楕円形の特徴を有する視覚的湾曲ディスプレイである。例えば、ディスプレイは、円形若しくは略円形であるか、又は部分的若しくは完全に円形である側部若しくは角を有する別の形状（例えば、正方形若しくは矩形）である。
【００６３】
[0094]  支持部材は、様々な形状及びサイズを有することができる。支持部材は、三角形、円形、楕円形、正方形、矩形、又はそれらの形状の部分的形状若しくは組合せであることができる。支持部材はボタンであることができる。支持部材はピン、クリップ、フック、ループ、ストラップ、又は磁気吸引可能ロックを含むことができる。
【００６４】
[0095]  支持部材は、キャップ、帽子、画面、ピン、ベルト、ベルトバックル、アームバンド、リストバンド、ネックレス、チョーカーネックレス、ヘッドバンド、バイザー、バイザー保護フラップ、スクリーンカメラ、又はバンドであることができる。支持部材は、キャップ、帽子、画面、ピン、ベルト、ベルトバックル、アームバンド、リストバンド、ネックレス、チョーカーネックレス、ヘッドバンド、バイザー、バイザー保護フラップ、スクリーンカメラ、又はバンドに搭載可能（例えば、脱着可能に搭載可能）な表面又は支持物体であることができる。
【００６５】
[0096]  支持部材は、ユーザの頭部又は胴体に搭載可能であることができる。ある場合には、支持部材はユーザの手首、頭部、及び／又はアームに搭載可能ではない。支持部材は、ユーザの片手で体に搭載可能かつ取り外し可能であることができる。例では、ユーザは、ユーザの左手又は右手だけで支持部材を搭載又は取り外すことができ、それにより、支持部材をユーザによるわずか又は最小の努力で容易に搭載又は取り外すことができる。
【００６６】
[0097]  ディスプレイは、約１００ミリメートル（ｍｍ）、約５０ｍｍ、約４０ｍｍ、約３０ｍｍ、約２０ｍｍ、約１０ｍｍ、約５ｍｍ、又は約１ｍｍ以下の厚さを有することができる。支持部材は、約１００ｍｍ、約５０ｍｍ、約４０ｍｍ、約３０ｍｍ、約２０ｍｍ、約１０ｍｍ、約５ｍｍ、又は約１ｍｍ以下の厚さを有することができる。ディスプレイが支持部材に搭載されて、表示装置を生成すると、装置の全体厚は、約１００ｍｍ、約５０ｍｍ、約４０ｍｍ、約３０ｍｍ、約２０ｍｍ、約１０ｍｍ、約５ｍｍ、又は約１ｍｍ以下の厚さを有することができる。であることができる。ある例では、全体厚は２ｍｍ〜１５ｍｍ又は５ｍｍ〜１０ｍｍである。例として、全体厚は１５ｍｍ以下、１４ｍｍ以下、１３ｍｍ以下、１２ｍｍ以下、１１ｍｍ以下、又は１０ｍｍ以下である。
【００６７】
[0098]  ディスプレイは、実質的に小さな曲率を有するカバーガラスを有することができる。ディスプレイは、サファイアガラスで形成することができる。ディスプレイは、例えば、円形、楕円形、三角形、正方形、又は矩形であることができる。ディスプレイは、バックライト及び／又はマスキングされたフロントガラスを含むことができる。ディスプレイは可撓性を有することができる。
【００６８】
[0099]  ディスプレイは、容量性又は抵抗性タッチスクリーン等のタッチスクリーンであることができる。これにより、ユーザは、メディアを選択し、メディアをスクロールし、又は装置の他の特徴若しくは機能にアクセスすることができる。
【００６９】
[0100]  装置は、ユーザが装置の様々な特徴又は機能にアクセスできるようにする１つ又は複数のボタンを含むことができる。１つ又は複数のボタンは、ディスプレイ又は支持部材の側部にあることができる。１つ又は複数のボタンは、コントローラに結合することができる。
【００７０】
[0101]  支持部材は、衣服（例えば、シャツ若しくは帽子）又は他の物体（例えば、バッグ）に突き通すピンを含むことができ、ピンは、支持部材を衣服又は他の物体に対して固定できるようにすることができる。ピンは、ピン及び支持部材を所定位置に固定するロックを有することができる。ピンは、支持部材を回転できるようにすることができる。代替として、支持部材は磁気吸引可能ロックを含むことができる。例えば、支持部材は、永久磁石の一方の極性を有する金属板と、磁石の他極の極性を有するロックとを含むことができる）。金属板及びロックが互いの近傍に運ばれると、磁場力がそれらを一緒にし、例えば、衣服等に対して支持部材を所定位置に保持することができる。代替として、支持部材は、車両等の無生物に搭載可能であることができる。これにより、表示装置は車両上に中間を表示又は投射することができる。例えば、表示装置は、デジタルバンパーステッカー等のバンパーステッカーであることができる。
【００７１】
[0102]  ディスプレイはモジュール式であることができる。これにより、ディスプレイは他のディスプレイ等の他の構成要素と結合することができる。ある場合には、システムは１つ又は複数の追加のディスプレイを含むことができる。１つ又は複数の追加のディスプレイは、ディスプレイと通信することができる。例えば、追加の各ディスプレイは、支持部材又は別個の支持部材に搭載可能であることができる。別個の支持部材が利用される場合、別個の支持部材は支持部材に搭載可能であり得、又はこの逆が可能であり得る。例えば、支持部材は、支持部材を互いと結合して、より大きな表示装置を形成できるようにする搭載部材（例えば、クリップ又はインターロック）を側部に含むことができる。結合されると、個々の表示装置は、別個のメディアを提供するか、又は互いと通信して、同じメディア又は同じメディアの部分を提供することができる。例えば、単一の画像の部分は、個々の装置を通して表示することができる。
【００７２】
[0103]  モジュール式ディスプレイは、様々な支持部材に結合することができる。図１５Ａ〜図１５Ｃは、複数の用途を有し、調整可能であることができる様々なモジュール式バンドを示す。図１６Ａ及び図１６Ｂは、取り外し可能なスクリーンバンド及び別個の取り外し可能な部品を有するモジュール式帽子を示す。
【００７３】
[0104]  ディスプレイ及び／又は支持部材は可撓性を有することができる。これにより、ユーザはディスプレイ及び／又は支持部材を所望に応じて曲げるか、又は捻ることができる。ユーザは、ディスプレイ及び／又は支持部材を任意の所望又は所定の形状又は構成に整形することができる。
【００７４】
[0105]  ある例では、支持部材は熱可塑性材料等のポリマー材料で形成される。ディスプレイは、有機ＬＥＤ（ＯＬＥＤ）等の発光ダイオード（ＬＥＤ）で形成することができる。コントローラは、可撓性を有することができるプリント回路基板（ＰＣＢ）を含むことができる。代替として、ディスプレイは、衣服又は他の物体（例えば、表示画面）等のディスプレイ表面にメディアを投射することができるプロジェクタである。例えば、ディスプレイは、図３に示すように、キャップ上のプロジェクタビルボードを含むことができる。
【００７５】
[0106]  システムは、ディスプレイ及び／又はコントローラに動作可能に結合される、電池等のエネルギー貯蔵装置を含むことができる。電池は、リチウムイオン電池等の固体状態電池であることができる。電池は、例えば、ユニバーサルシリアルバス（ＵＳＢ）ポートを通して、システムの充電ポート等を通して充電可能であることができる。代替又は追加として、電池は誘電充電可能であることができる。
【００７６】
[0107]  ディスプレイは、支持部材から脱着可能であることができる。代替として、ディスプレイは、支持部材から脱着可能ではない。
【００７７】
[0108]  システムは、ディスプレイをコントローラと通信させる通信バスを含むことができる。通信バスは、ＰＣＢ等の回路基板であることができる。通信バスは支持部材に搭載することができる。ある例では、通信バスは、ディスプレイをコントローラと無線通信させる通信インタフェース（例えば、Bluetooth又はＷｉＦｉ）を含む。
【００７８】
[0109]  コントローラは支持部材に搭載することができる。ある例では、コントローラは担体であるか、又は支持部材に統合することができる。代替として、コントローラは支持部材と別個であることができる。
【００７９】
[0110]  システムは１つ又は複数のセンサを含むことができる。１つ又は複数のセンサの中のセンサは、光学センサ、感圧センサ、又は近接センサであることができる。センサはコントローラと通信することができる。
【００８０】
[0111]  システムは、コントローラと通信するカメラを含むことができる。カメラは電荷結合カメラ（ＣＣＤ）であることができる。カメラは、ユーザ又は他の個人等の他の物体の画像又はビデオを捕捉できるようにすることができる。これにより、システムはメディアへの応答を測定することができる。
【００８１】
[0112]  コントローラは、ディスプレイを通してユーザにより選択された向きで表示又は投射されるようにメディアを向けるようにプログラムすることができる。これにより、ユーザは、メディアが意図されるように表示又は投射されることを気にせずに、ユーザの体に支持部材を搭載することができる。代替又は追加として、コントローラは、ディスプレイを通して、重力加速ベクトルに平衡する方向に沿って表示又は投射されるようにメディアを向けるようにプログラムすることができる。
【００８２】
[0113]  システムはジャイロスコープを含むことができる。ジャイロスコープは、コントローラがディスプレイの向きを特定できるようにする。
【００８３】
[0114]  システムは、適切な加速度を測定する加速度部材を含むことができる。加速度部材は加速度計であることができる。加速度部材は、コントローラに動作可能に結合する（例えば、通信する）ことができる。
【００８４】
[0115]  システムは、ユーザがメディアを作成できるようにする。例えば、ユーザは、写真を選択し、写真を修正して、表示用のメディアを生成することができる。メディアは、ポータブルコンピュータ又はスマートフォン等のユーザのモバイル電子装置で作成することができる。
【００８５】
[0116]  本開示の表示装置（例えば、ウェアラブル装置）は、様々な特徴を含むことができる。表示装置は、タッチスクリーン（例えば、容量性タッチスクリーン）、ＧＰＳ、及び加速度計を有するディスプレイを有することができる。加速度計は、例えば、移動検出及び電力管理並びにディスプレイ上の画像（又は表現）が常に適切な向きを有する（例えば、北／南又は上／下）を有することを確実にするために使用し得る。ディスプレイは、カスタマイズ可能な自己表現用であり、接続選択肢を可能にするプラットフォームに接続することができる。表示装置は、ユーザ又は他の物体に容易に搭載可能であり得、ユーザ又は他の物体から容易に脱着可能であり得る。表示装置は磁石を用いて搭載可能であり得、それにより、ユーザは、磁石をとる必要なく、表示装置を搭載及び脱着可能であり得る。表示装置は、電池等のエネルギー貯蔵ユニットを有することができる。表示装置は、少なくとも部分的に又は完全に太陽エネルギーから給電し得る。そのような場合、表示装置は太陽電池を含み得る。表示装置は電子ペーパーディスプレイ（「Ｅインク」）を有し得、これは電気泳動インクを有し得る。そのようなディスプレイは、消費電力の低減又は低消費電力で使用可能であり得る双安定ディスプレイであり得る。
【００８６】
[0117]  これより、同様の番号が全体を通して同様の部分を指す図を参照する。図及び図中の特徴が必ずしも一定の縮尺で描かれていないことが理解される。
【００８７】
[0118]  図１は、表示画面１０１を有する表示装置１００を示す。表示装置１００は、上述したようなものであることができる。表示画面１０１は、様々な形状及びサイズを有することができる。例えば、表示画面１０１は曲線をなすことができる（例えば、円形又は楕円形）。表示装置１００及び表示画面１０１は、様々なフォームファクタを有することができる。例えば、表示装置１００は、ピン又はボタンの形態であることができる。
【００８８】
[0119]  図２は、表示画面２０１を有する表示装置２００を示す。表示装置２００は、上述したようなものであることができる。表示画面２０１は、様々な形状及びサイズを有することができる。例えば、表示画面２０１は曲線をなすことができる（例えば、円形又は楕円形）。表示装置２００はセンサ２０２をさらに含む。センサ２０２は、光又は音等の様々な信号をユーザ又はユーザの環境から捕捉することができる。センサ２０２はカメラであることができ、カメラは、画像又はビデオをユーザ又は他の個人等の他の物体から捕捉することができる。表示装置２００及び表示画面２０１は、様々なフォームファクタを有することができる。例えば、表示装置２００は、ピン又はボタンの形態であることができる。
【００８９】
[0120]  本開示は、自己表現を有する能力を提供することができるウェアラブル装置を提供し、自己表現は変更可能であり、言葉、画像、及びそれらの組合せの形態である。
【００９０】
[0121]  実施形態では、ウェアラブル装置は、個人のクリエイティブな自己表現を有する能力を提供し、自己表現は変更可能であり、言葉、画像、及びそれらの組合せの形態である。
【００９１】
[0122]  別の実施形態では、ウェアラブル装置は、言葉、画像、及びそれらの組合せの形態のダイナミックな個人のクリエイティブ自己表現を有する能力を提供し、繋がりを可能にする。
【００９２】
[0123]  別の実施形態では、本開示は、言葉、画像、及びそれらの組合せの形態のダイナミックな個人のクリエイティブ自己表現を有する能力を提供し、様々な異なる形態での表明を可能にするウェアラブル装置を提供する。
【００９３】
[0124]  一実施形態では、本開示は、技術とファッションとを結合して、クリエイティブな自己表現、繋がり、及び表明の機会をユーザに提供するウェアラブルでカスタマイズ可能なデジタル表示装置を提供する。本開示のウェアラブル装置は、表現を作るメッセージ及び／又は図の有形配信システムを提供することができる。
【００９４】
[0125]  ウェアラブル装置は、画像、複雑な言葉及びメッセージ、テキスト、アップロード、表示、目的を無線で表示することができる。ウェアラブル装置は、ユーザ又は第三者のモバイル装置を使用して、通信することができる。ウェアラブル装置は、モバイル装置と通信する。
【００９５】
[0126]  一実施形態では、ウェアラブル装置は、受信する情報に基づいて色を変更し得る王冠である。センサをウェアラブル装置に含めることができる。
【００９６】
[0127]  様々な実施形態では、ウェアラブル装置は、可撓性であることができるディスプレイ又は画面を含むことができる。他の実施形態では、ウェアラブル装置はウェアラブル装置ユーザにより利用され、意図的に、個人からグローバルへの表現を通してポジティブな社会的及び環境的変化を及ぼす能力を有することができる。一実施形態では、ウェアラブル末端部は、自己表現及び大儀のために装着されるカスタマイズ可能な物である。表現、繋がり、及びポジティブな変化を表明するために使用することができる。
【００９７】
[0128]  本開示の表示装置は、ウェアラブル装置を介して、及び車両、カスタマイズ可能な小型ビルボードにおいて、個人にとって何が重要であるかを表明し表現する機会を個人に提供することができる。本開示の表示装置は、傾聴され、頼りにされる機会を個人に提供することができ、個人が装着するか、又は車両で使用することができるクリエイティブでカスタマイズ可能な自己表現を通して、個人の意見及び意図を何か意味のあるものにする。
【００９８】
[0129]  本開示の表示装置は、複数の個人が集合的に人生の結果を生み出すことをサポートすることができる。そのような装置により、個人は、ポジティブな経験を有し、人生の経験がどんなものであるか、どう感じるかの結果、並びに１日、１週間、１ヶ月、及び寿命全体を通して何を達成するかに作用し、影響を及ぼす異なるエネルギー及び結果をもたらす全ての種類の意図及び表現を生み出すこともできる。意図、表現、及びエネルギーによっては、強力で容易に認識可能なものもあれば、より繊細であり、直観的にしか感じられないことが多いものもある。
【００９９】
[0130]  本開示のウェアラブル装置は、集合的雰囲気及びユーザの様々な表現を反映する本装置の全ユーザの集計ダッシュボードで、繋がり、頼りにされることをサポートする機会を提供することができる。一実施形態では、装置のユーザは、装置で何を表現しているかに基づいて、歩く広告塔又はトラベリングビルボードを含むが、これらに限定されない潜在的な収入源と繋がる。組織は、コミューン表現の目的でウェアラブル装置のユーザと繋がることができ得る。
【０１００】
[0131]  本開示は、技術とファッションとを結合して、クリエイティブな自己表現、繋がり、及び表明の機会をユーザに提供することができる、デジタルＬＥＤ、ナノテクノロジー、及び他に関連する表示技術に基づくボタンを提供する。ユーザは、意図的に、個人からブローバルへの表現を通してポジティブな社会的及び環境的変化を及ぼす能力を有する。一実施形態では、デジタルＬＥＤ、ナノテクノロジー、及び他に関連する表示技術に基づくリストバンドは、自己表現及び大儀を目的として装着されるカスタマイズ可能なデジタルキャップである。これは、表現、繋がり、及びポジティブな変化の表明に使用することができる。
【０１０１】
[0132]  本開示は、（ｉ）メッセンジャーである彼／彼女自身のメッセージ及び心理学的でスピリチュアルな意図の有形配信システム、（ｉｉ）アイデンティティ、自尊心、独自性、クールな要素等の感覚、（ｉｉｉ）自己、帰属、繋がり、意味、目的、充足感、傾聴され尊敬されている感覚、及び（ｉｖ）自分の生活及び自身が生きているより大きなコミュニティに貢献する結果に影響を及ぼす能力を提供することができる、デジタルＬＥＤ、ナノテクノロジー、及び他に関連する表示技術に基づくボタンを提供する。
【０１０２】
[0133]  デジタルＬＥＤ、ナノテクノロジー、及び他に関連する表示技術に基づくリストバンドは、画像及びテキスト、アップロード、表示、目的を無線で表示する。デジタルＬＥＤ、ナノテクノロジー、及び他に関連する表示技術に基づくリストバンドは、ユーザ又は第三者のモバイル装置を使用して通信することができる。デジタルＬＥＤ、ナノテクノロジー、及び他に関連する表示技術に基づくリストバンドは、モバイル装置と通信する。
【０１０３】
[0134]  デジタルＬＥＤ、ナノテクノロジー、及び他に関連する表示技術に基づくリストバンドにセンサを含むことができる。一実施形態では、ユーザが関連するか、気にする理由を反映するように表示されるカラーコードが、リストバンドと共に利用される。
【０１０４】
[0135]  リストバンドには、モバイル装置、デスクトップコンピュータ、ＢＥＡＭ装置を含むが、これに限定されない他の装置を用いてアップロードすることができる。
【０１０５】
[0136]  非限定的な例として、リストバンドは、様々な異なるメッセージ、乳ガンリボン、レインボーＧＬＴＧ等の理念に基づく意図を表示することができる。
【０１０６】
[0137]  本開示は、技術及びファッションを結合して、クリエイティブな自己表現、繋がり、及び表明の機会をユーザに提供する、デジタルＬＥＤ、ナノテクノロジー、及び他に関連する表示技術に基づくリストバンドを提供する。ユーザは、意図的に、個人からグローバルへの表現を通してポジティブな社会的及び環境的変化を及ぼす能力を有する。一実施形態では、意図的に、個人からグローバルへの表現を通してポジティブな社会的及び環境的変化を及ぼす能力を有する。デジタルＬＥＤ、ナノテクノロジー、及び他に関連する表示技術に基づくリストバンドは、自己表現及び大儀を目的として装着されるカスタマイズ可能なデジタルキャップである。これは、表現、繋がり、及びポジティブな変化の表明に使用することができる。
【０１０７】
[0138]  本開示は、（ｉ）メッセンジャーである彼／彼女自身のメッセージ及び心理学的でスピリチュアルな意図の有形配信システム、（ｉｉ）アイデンティティ、自尊心、独自性、クールな要素等の感覚、（ｉｉｉ）自己、帰属、繋がり、意味、目的、充足感、傾聴され尊敬されている感覚、及び（ｉｖ）自分の生活及び自身が生きているより大きなコミュニティに貢献する結果に影響を及ぼす能力を提供する、デジタルＬＥＤ、ナノテクノロジー、及び他に関連する表示技術に基づくリストバンドを提供する。
【０１０８】
[0139]  デジタルＬＥＤ、ナノテクノロジー、及び他に関連する表示技術に基づくリストバンドは、画像及びテキスト、アップロード、表示、目的を無線で表示する。デジタルＬＥＤ、ナノテクノロジー、及び他に関連する表示技術に基づくリストバンドは、ユーザ又は第三者のモバイル装置を使用して通信することができる。デジタルＬＥＤ、ナノテクノロジー、及び他に関連する表示技術に基づくリストバンドは、モバイル装置と通信する。
【０１０９】
[0140]  デジタルＬＥＤ、ナノテクノロジー、及び他に関連する表示技術に基づくリストバンドにセンサを含むことができる。
【０１１０】
[0141]  一実施形態では、ユーザが関連するか、気にする理由を反映するように表示されるカラーコードが、リストバンドと共に利用される。
【０１１１】
[0142]  リストバンドには、モバイル装置、デスクトップコンピュータ、ＢＥＡＭ装置を含むが、これに限定されない他の装置を用いてアップロードすることができる。
【０１１２】
[0143]  非限定的な例として、リストバンドは、様々な異なるメッセージ、乳ガンリボン、レインボーＧＬＴＧ等の理念に基づく意図を表示することができる。
【０１１３】
[0144]  別の態様では、ユーザにより選択されるメディアを表示又は投射する方法は、（ｉ）ユーザの体に脱着可能に搭載される支持部材及び（ｉｉ）支持部材に搭載されるディスプレイを提供することを含み、ディスプレイは、１人又は複数の観測者により閲覧可能なように、ユーザにより選択されるメディアを表示又は投射するように構成され、メディアはテキスト、画像、及びビデオのうちの少なくとも１つを含む。次に、コンピュータメモリ内のユーザの表示及び／又はロケーション嗜好又はスケジュールにアクセスする。次に、ディスプレイを使用して、ユーザの表示及び／又はロケーション嗜好又はスケジュールに従ってメディアを表示又は投射することができる。
【０１１４】
[0145]  メディアは、ユーザにより選択される向きでディスプレイを通して表示又は投射されるように向けることができる。メディアは、ディスプレイを通して、重力加速ベクトルに平行する方向に沿って表示又は投射されるように、向けることができる。
【０１１５】
[0146]  方法は、メディアを表示又は投射する入力をユーザから受信することを含むことができる。入力は、ディスプレイ又はユーザの電子装置で受信することができる。
【０１１６】
[0147]  方法は、表示及び／又はロケーション嗜好又はスケジュールをユーザから受信することを含むことができる。表示及び／又はロケーション嗜好又はスケジュールは、コンピュータメモリに記憶することができる。表示及び／又はロケーション嗜好又はスケジュールは、ユーザのモバイル電子装置から受信することができる。
【０１１７】
[0148]  方法は、ユーザの動きを検出することを含むことができる。メディアは、動きが検出されると、メディアを表示又は投射することができる。
【０１１８】
可撓性ディスプレイ
[0149]  可撓性ディスプレイは、１つ又は複数の可撓層で構成し得、カバー層の上又は下に搭載し得る。例えば、可撓性ディスプレイは、剛性支持部材上に搭載してもよく、又は剛性カバー層の下面に搭載してもよい。ディスプレイは、剛性表面又は非剛性表面に搭載し得る。
【０１１９】
[0150]  電子装置に、ボタン、マイクロフォン、スピーカ、圧電性アクチュエータ（電気入力をユーザから受信し、触覚フィードバックをユーザに）、又は振動、圧力センサ、及び他の構成要素等の他のアクチュエータ等のユーザインタフェース構成要素（入出力構成要素）を提供することもできる。これらの構成要素は、可撓性ディスプレイの部分下に搭載し得る。
【０１２０】
[0151]  電子装置の動作中、ディスプレイの可撓性により、ユーザは、ディスプレイを通して構成要素と対話することができ得る。例えば、スピーカからの音波又は電子装置内のアクチュエータからの局所振動が可撓性ディスプレイを通って伝搬し得る。可撓性ディスプレイにより、内部マイクロフォン、圧力センサ、又は力センサ（又は他の内部構成要素）が外部入力を受信することも可能であり得る。例えば、ユーザは、指又は他の外部物体を使用して可撓性ディスプレイを屈曲させ得、可撓性ディスプレイを通して気圧をモニタリングし得、又は可撓性ディスプレイを通して音波を受信し得る。
【０１２１】
[0152]  構成要素は、可撓性ディスプレイの物理的に変形した部分（例えば、ユーザがディスプレイを押下して、構成要素を圧縮する際に生じる変形）を通して、入力を受信し、又は出力を供給し得る。幾つかの構成では、可撓性ディスプレイの部分は、マイクロフォン、スピーカ、圧力センサ、又は他の電子構成要素の部分を形成する膜として機能し得る。
【０１２２】
[0153]  ユーザが、可撓性ディスプレイを変形させることによりボタンスイッチ等の構成要素を圧縮可能なことにより、視覚的表示に利用することができる装置の面積を増大させることができ得る。例えば、可撓性ディスプレイのアクティブエリアは、ボタン又はスピーカ等の構成要素に重複し得る。
【０１２３】
[0154]  所望であれば、可撓性ディスプレイは、内部構成要素により変形して、オーディオフィードバック又は触覚フィードバックをユーザに提供し得る。例えば、電子装置内部の構造を可撓性ディステップの部分に対して押し当てて、画面上の仮想ボタンの輪郭を一時的に生成するか、又はキーボード（キーパッド）内のキーの場所を区切るように機能するリッジの格子を一時的に生成し得る。
【０１２４】
ディスプレイ構成要素
[0155]  別の態様では、ユーザからのメディアへの応答を分析するシステムは、ユーザの体に脱着可能に搭載可能な支持部材と、支持部材に搭載される表示部材であって、表示部材は、ユーザにより選択されるメディアを表示又は投射するように構成され、メディアはテキスト、画像、及びビデオのうちの少なくとも１つを含む、表示部材とを含むことができる。システムは、表示部材により表示又は投射されるメディアへの少なくとも１人の個人の応答を示す１つ又は複数の信号を収集するセンサを含むことができる。システムは、表示部材及びセンサと通信するコントローラを含むことができ、コントローラは、（ｉ）メディアを表示又は投射するように表示部材を向け、（ｉｉ）センサから１つ又は複数の信号を受信し、（ｉｉｉ）少なくとも部分的にセンサから受信される１つ又は複数の信号に基づいて、応答を特定するようにプログラムされる。少なくとも１人の個人は、ユーザを含むことができる。
【０１２５】
[0156]  支持部材は、ユーザの帽子又はシャツに脱着可能に搭載可能であることができる。表示部材は表示画面であることができる。表示画面は湾曲しているか、又は可撓性を有することができる。
【０１２６】
[0157]  システムは、コントローラと通信するカメラをさらに含むことができる。コントローラは、少なくとも部分的に応答に基づいて、ユーザと少なくとも１人の他の個人との間の関係値の品質を示すスコアを特定するようにプログラムすることができる。コントローラは、ある品質の関係値から別の品質の関係値への遷移間の１つ又は複数のウェイポイントを特定するようにプログラムすることができる。品質の関係値は、信用、信頼、関与、価値生成、断絶、無気力、無関心、及び順守からなる群から選択することができる。コントローラには、ユーザと１人又は複数の他の人又はエンティティとの間の１つ又は複数の関係の品質を特定又は定量化する関係分析エンジンをプログラムすることができる。
【０１２７】
[0158]  別の態様では、ユーザからのメディアへの応答を分析する方法は、（ｉ）ユーザの体に脱着可能に搭載される支持部材、（ｉｉ）支持部材に搭載される表示部材であって、表示部材は、ユーザにより選択されるメディアを表示又は投射するように構成され、メディアはテキスト、画像、及びビデオの少なくとも１つを含む、表示部材、及び（ｉｉｉ）表示部材により表示又は投射されるメディアへの少なくとも１人の個人の応答を示す１つ又は複数の信号を収集するセンサを提供することを含むことができる。次に、表示部材を使用して、メディアを表示又は投射することができる。センサからの１つ又は複数の信号を受信することができ、少なくとも部分的にセンサから受信される１つ又は複数の信号に基づいて、応答を特定することができる。
【０１２８】
[0159]  方法は、少なくとも部分的に応答に基づいて、ユーザと少なくとも１人の個人との間の関係値の品質を示すスコアを特定することをさらに含むことができる。ある品質の関係値から別の品質の関係値への遷移間の１つ又は複数のウェイポイントを特定することができる。
【０１２９】
[0160]  本開示は、本開示のシステム及び方法と併用する様々なディスプレイを提供する。一実施形態では、ディスプレイは、ユーザ入力信号をディスプレイに送信する信号送信構成要素と、表示信号生成装置から送信された表示情報を制御する表示信号生成装置とを有する電子回路層を含む。信号受信構成要素は、表示信号生成装置から送信される表示情報を受信する。ディスプレイ駆動構成要素が、受信した表示情報に従って表示層を駆動する。ユーザ入力は、ユーザ入力を受信し、ユーザ入力信号を生成する。電池は、電気エネルギーを電子回路層、ユーザ入力・表示構成要素に提供する。信号受信構成要素は、第１の無線周波数で搬送される第１の表示情報を有する第１の表示信号を受信する第１の無線周波受信構成要素と、第２の無線周波数で搬送される第２の表示情報を有する第２の表示信号を受信する第２の無線周波受信構成要素とを含み得る。表示駆動構成要素は、第１の表示信号及び第２の表示信号を受信し、同時に、第１の表示情報をディスプレイの第１のロケーションに表示し、第２の表示情報をディスプレイ層の第２のロケーションに表示する表示駆動信号を生成する信号プロセッサ構成要素を含み得る。電池、ディスプレイ、ユーザ入力、及び電子回路層の少なくとも幾つかは、電気的活性材料をプリントして、抵抗、コンデンサ、インダクタ、導体、及び半導体デバイスを含む回路要素を形成することにより形成される。
【０１３０】
[0161]  電池は、第１の電流コレクタ層、アノード層、電解層、カソード層、及び第２の電流コレクタ層を含み得る。電解材料はマイクロカプセル化し得、これにより、電池は、インクジェットプリント、レーザプリント、磁気反応性プリント、静電反応性プリント、又はマイクロカプセル化材料の使用に適合される他のプリント方法等のプリント方法による形成に特に適するようになり得る。電池は実質的に、可撓性基板の上面全体に形成される。この構造により、本発明による無線表示装置は、適する電池電力密度を有するとともに、電池層により提供される有利な電子遮蔽品質が提供されながら、可能な限り薄く形成し得る。ユーザ入力は、各導電要素が移動磁場に応答して検出可能な電気信号を誘導する導電要素の格子を含み得る。ユーザ入力は、感圧要素股は容量検知要素をプリントすることにより形成されるタッチスクリーンを含み得る。
【０１３１】
[0162]  ディスプレイは、表示駆動構成要素の制御下で、各発光ピクセルに電気エネルギーを選択的に印加する各発光ピクセルと接続された導電リードを含み得る。
【０１３２】
[0163]  信号受信構成要素は、第１の無線周波数で搬送される第１の表示情報を有する第１の表示信号を受信する第１の無線周波受信構成要素と、第２の無線周波数で搬送される第２の表示情報を有する第２の表示信号を受信する第２の無線周波受信構成要素とを含み得る。表示駆動構成要素は、第１の表示信号及び第２の表示信号を受信し、同時に、第１の表示情報をディスプレイの第１のロケーションに表示し、第２の表示情報をディスプレイ層の第２のロケーションに表示する表示駆動信号を生成する信号プロセッサ構成要素を含み得る。
【０１３３】
[0164]  電子回路内の構成要素の少なくとも幾つかは、電気的活性材料をプリントして、抵抗、コンデンサ、インダクタ、導体、及び半導体デバイスを含む回路要素を形成することにより形成される。
【０１３４】
[0165]  無線ディスプレイにより必要とされるオンボード処理容量を大幅に低減した実質的に静的な表示内容をフォーマットする内容フォーマット方法が開示される。この内容フォーマット方法は、多数の同時ユーザを可能にするのに有効である。ソースコンピュータが、実質的に静的表示内容を情報のビデオフレームに構成する。無線ディスプレイが必要とするメモリは、所望数のビデオ情報単一フレームの記憶に必要なメモリと同じだけである。
【０１３５】
[0166]  一実施形態では、ディスプレイは、情報を表示する発光ピクセルを含む。一実施形態では、発光ピクセルは、発光導電性ポリマーのピクセル層をプリントすることにより形成される。
【０１３６】
[0167]  一実施形態では、ユーザの表示される表現、繋がり、及びポジティブな変化。プロファイルの表明は、バックエンドにおける１つ又は複数のプロセッサにより受信され、１つ又は複数のプロセッサにおいて、以下のうちの１つ又は複数が実行される：（ｉ）集計ダッシュボード反映の部分としての、表現、繋がり、表明、及び頼られていることの独自の特徴の抽出、（ｉｉ）表現、繋がり、及び表明の別個の側面の強調、並びに（ｉｉｉ）表現、繋がり、及び表明に関連するデータの圧縮。１つ又は複数のプロセッサは、ウェアラブル装置からの受信データをデータベース内のデータと比較することができる。
【０１３７】
[0168]  一実施形態では、ディスプレイ／画面は、光学構成要素の使用を通してより大きくされ、ディスプレイ／画面への投射外観を生成する。一実施形態では、ディスプレイ／画面は、装着者の頭部の前に投射することができる。画面は、透明色、黒色、白色であり得、又は非使用時は色を変更し得る。
【０１３８】
[0169]  一実施形態では、個人のクリエイティブな自己表現、繋がり、及び表明を提供する、ウェアラブル装置のキーコードとして、色をウェアラブル装置に使用される。ウェアラブル装置は、アドオン、ＧＰＳカメラ等を含むことができる。
【０１３９】
[0170]  ウェアラブル装置は、ディスプレイ若しくは画面を結合したまま維持するか、若しくは包含する寸法を有しることができる。ディスプレイ又は画面は、ウェアラブル装置から脱着可能であり得る。
【０１４０】
[0171]  非限定的な例として、ウェアラブル装置は、リサイクル材料、異なる物からの布、プラスチック、天然材料、エコフレンドリな材料等を含むが、これらに限定されない様々な材料で作ることができる。
【０１４１】
[0172]  一実施形態では、ウェアラブル装置は、ディスプレイを駆動する電子回路を含め、構成要素を収容する。１つ又は複数の電池を含むが、これに限定されないエネルギー源を含むことができる。非限定的な例として、太陽、歩行又は他の動き、風等を含むが、これらに限定されない他のエネルギー源を利用することもできる。ウェアラブルは充電可能、例えば、差し込むことができる。一実施形態では、ウェアラブル装置は、メッシュ技術を介して給電される。
【０１４２】
[0173]  ディスプレイは、前、後、横等に位置決めすることができ、取り外し可能であることができる。ディスプレイは、ガラス、プラスチック等を含むが、これらに限定されない可撓性材料及び非可撓性材料で作ることができる。
【０１４３】
[0174]  ディスプレイは異なるサイズ形状であることができる。一実施形態では、ディスプレイは光の影響を受けやすく、光に相対して色を変更す。一実施形態では、ディスプレイは、そのような反射からの保護を促進するフレームを含む。一実施形態では、フレームは色を変更するようにアップロード可能である。ディスプレイは、平坦であってもよく、ある程度突出してもよく、より閲覧可能にするようにバイザー等であることができる。
【０１４４】
[0175]  ウェアラブル装置は、異なるサイズに調整することができる。ウェアラブル装置は、モジュールであることができ、異なる様式で装着される異なる製品に変形させることもできる。
【０１４５】
[0176]  一実施形態では、ウェアラブル装置及び／又はディスプレイ／画面は、色を変更することができる。これは、ＬＥＤ等の使用を通して達成することができる。ウェアラブル装置の全て又は部分は、色を変更することができる。一実施形態では、ウェアラブル装置は、装着者のエネルギー、脳機能、心拍、ストレスレベル、及びビジーシンキング等の様々な側面を捕捉する１つ又は複数のセンサを含む。
【０１４６】
[0177]  一実施形態では、ウェアラブル装置それは、画面レベル及びウェアラブル装置全体又は音及びユーザに影響することができる他の手段に基づくことができる画面に隣接する実施形態の両方で、色を変更することができる。これは、サウンド応答スカルプチャーと同一又は同様であり得る。
【０１４７】
[0178]  ウェアラブル装置は、画面内又は画面背後のカメラ、ＧＰＳ機能等を含むが、これらに限定されない追加の電子構成要素を含むことができ、モバイル装置が行うことができるあらゆることを行うことができる。一実施形態では、ウェアラブル装置は、モバイル装置の全ての機能を必要とするわけではない。
【０１４８】
[0179]  ウェアラブル装置は、バックエンドを有するテレメトリサイトと通信することができる。テレメトリサイトは、ユーザ活動、各ユーザ及び／又は各センサ及びロケーションの性能情報及び参照情報を含め、識別参照データベースを含むことができる。システムにより捕捉されるユーザ活動、性能尺度、データ等は、標準関係データベースＳＱＬサーバ及び／又は他のフォーマットに記録し、リアルタイムでエクスポートすることができる。全ての通信は無線で行われる。
【０１４９】
[0180]  テレメトリシステムは、（ｉ）基本情報を含むことができるプロファイルをセットアップし、個人のクリエイティブな自己表現、繋がり、表明意図を提供するウェアラブル装置を使用し、（ｉｉ）画像、写真、テキスト、及びそれらの組合せ等のユーザがアップロードしたいものを作成しアップロードし、（ｉｉ）第三者の自己表現、繋がり、及び表明を見る手段をユーザに提供する。
【０１５０】
[0181]  なお、何かが政治的批判又は関心を有する場合、ソーシャルネットワークプロファイルを変更することが多い。本開示のウェアラブル装置は、そのような目的で、サプリメントとして使用し得る。本開示のウェアラブル装置を使用して、政治的又は社会的等のコミューン表現に参加し得る。
【０１５１】
[0182]  本開示は、人々がシェアしているものの集計ダッシュボードを提供し、この自然な挙動をとり、仮想世界及び物理的世界で実施し、ソーシャルメディア情報、写真、メッセージ、及び画像をアップロードし、組織と通信するメカニズムを提供し、これの全てを様々な組織に結び付け、様々な組織は次に、行動をとることができる。
【０１５２】
[0183]  個人は、同様の価値及び目標を共有するコミュニティ組織に参加し、シェアされる表現のエコシステムに参加し、この全てを見て、ユーザの表現から導出される雰囲気を特定する集計ダッシュボードの部分であり得る。これは、ソーシャルネットワークに反映し得る。
【０１５３】
[0184]  本開示のウェアラブル装置を使用して、ログインし、企業と個人情報をシェアし、企業が、露出なしに基づく時間期間中、装着されたメッセージに対して料金を支払うにより、ユーザに収益源を生み出すことができる。歩く広告塔及び装着者に基づく収益フローは、広告主に影響がある。これは、有給及び無給のコミューン表現及び収益のための広告の機会を提供し得る。
【０１５４】
[0185]  本開示は、本明細書に提供される表示装置を使用してメディアを表示又は投射できるようにするソフトウェアを提供する。図４は、関係分析エンジン１００のブロック図を示す。関係分析エンジン１００は、コントローラ１０５を含むことができる。コントローラ１０５は、幾つかの異なる構成要素に結合されるか、又は別の方法で関連付けられ、これらの構成要素は、異なる人物又はエンティティ間の１つ又は複数の関係の品質を特定し定量化するのに寄与することができる。コントローラ１０５は、プロセッサ、回路、ソフトウェア、ファームウェア、及び／又はそれらの任意の組合せを含むことができる。実際に、関係分析エンジン１００の任意の構成要素は、プロセッサ、回路、ソフトウェア、ファームウェア、及び／又はそれらの任意の組合せを含むことができる。関係分析エンジン１００の構成要素のうちの１つ又は複数が、コントローラ１０５の一部であるか、又はコントローラ１０５により別の方法で実施することができることが理解される。
【０１５５】
[0186]  データマイナー１２５が、コントローラ１０５に結合されるか、又は別の方法で関連付けられ、システムネットワーク等のネットワーク（例えば、１９７）上の関係情報をマイニングすることができる。データマイナー１２５は、ノード１１５等の複数の送信者ノードを特定するか、又は別の方法で定義することができる。各送信者ノードは、詳細にさらに後述するように、メッセージの送信者を表す。加えて、データマインダー１２５は、ノード１１５等の複数の受信者ノードを特定するか、又は別の方法で定義することができる。各受信者ノードは、詳細にさらに後述するように、メッセージの受信者を表す。
【０１５６】
[0187]  データマイナー１２５は、１つ又は複数のコンテキスト１１０を自動的に決定することができ、コンテキスト１１０において、各メッセージは送信者ノードと受信者ノードとの間で伝送される。コンテキストは、例えば、仕事関連コンテキスト、個人的友人コンテキスト、知人コンテキスト、ビジネス取引コンテキスト等を含むことができる。データマイナー１２５は、各メッセージが送信者ノードと受信者ノードとの間で伝送されるときについてのタイミングシーケンスを自動的に決定することもできる。
【０１５７】
[0188]  行動可能分析セクション１５０は、コントローラ１０５に結合されるか、又は別の方法で関連付けられ、送信者ノードと受信者ノードとの間で伝送されるメッセージを分析することができる。メッセージは、メッセージキュー１９５等の１つ又は複数のメッセージキューから直接受信し、分析し、メッセージキューに返すことができる。代替的には、メッセージは、データマイナー１２５によりネットワーク１９７を介して受信することができる。行動可能分析セクション１５０は、分析された伝送メッセージ、マイニングされた関係情報、１つ又は複数のコンテキスト１１０、及び／又はタイミングシーケンスに基づいて、少なくとも１つの関係に関連付けられた過去分析１５５、リアルタイム分析１６０、及び予測分析１６５を生成することができる。行動可能分析セクション１５０は、関係の関係インジケータを生成することもでき、これは、詳細にさらに後述されるように、関係値の過去、現在、又は予測の品質の表す異なるアイコン、パターン、及び／又は色を含むことができる。
【０１５８】
[0189]  関係分析器が、関係のある品質から別の品質への遷移間の１つ又は複数のウェイポイントを特定することができる。そのようなウェイポイントは、スコアビルダ１７０を使用してスコア付けることができる。加えて、関係値それ自体の品質に、スコアビルダ１７０を使用してスコアを割り当てることができる。スコアは、詳細にさらに後述するように、関係値の過去、現在、及び予測の品質を特定するに当たり使用することができる。関係分析器は、コントローラ１０５に結合するか、又は別の方法で関連付けることができ、関係が生産的であるか、それとも非生産的であるかを判断することができる。関係が生産的であるか、それとも非生産的であるかの判断は、メッセージが送信又は受信されるコンテキストに基づいて行うことができる。関係分析器は、関係の弱み及び／又は強みを特定することもできる。
【０１５９】
[0190]  分析エンジン１００は、ユーザインタフェース１４０を含むことができる。ユーザインタフェース１４０は、送信者ノード及び受信者ノード（例えば、１１５）を手動で定義するユーザから入力を受信することができる。換言すれば、送信者ノード及び受信者ノードの構造体を構築することができ、これは、メッセージを実際に送受信する人物又はエンティティを表す。さらに、ユーザインタフェース１４０は、各メッセージが送信者ノードと受信者ノードとの間で伝送される１つ又は複数コンテキスト１１０を手動で定義するユーザから入力を受信することができる。
【０１６０】
[0191]  分析エンジン１００は修正インプリメンタ１３５をさらに含むことができ、これは、コントローラ１０５に結合するか、又は別の方法で関連付けることができる。修正インプリメンタ１３５は、マイニングされた関係情報での１つ又は複数の不正確性を検出し、そのような不正確性を自動的に修正することができる。例えば、関係の弱みが強みとして評価されるべきであるか、又は逆の場合、修正インプリメンタ１３５は、そのような不正確性を修正し、それにより、関係の理解を改善することができる。
【０１６１】
[0192]  ある場合には、対話がないことを使用して、特定の結論を導き出すことができる。対話なし分析器は、コントローラ１０５に結合するか、又は別の方法で関連付けることができ、そのような対話がないことを検出することができる。例えば、送信者ノードがメッセージを受信者ノードに送信し、受信者ノードがメッセージを返信することができない場合、対話なし分析器により結論を導き出すことができる。結論は、受信者が単に応答することができないことであることができる。代替的には、結論は、送信者ノードと受信者ノードとの関係に不具合があることであることができる。
【０１６２】
[0193]  行動可能分析セクション１５０は、修正インプリメンタ１３５の不正確性の修正、対話なし分析器の対話がないことの検出、及び関係分析器の特定を使用して、過去分析１５５、リアルタイム分析１６０、及び予測分析１６５を生成することができる。
【０１６３】
[0194]  入力アプリケーションプログラミングインタフェース（ＡＰＩ）１８０は、１つ又は複数の第三者アプリケーション又はソフトウェアから入力インタフェースを関係分析エンジン１００に提供する。例えば、入力ＡＰＩ１８０は、ビデオ、音声、及び／又はテキスト情報を含む複数のモードのデータフィードへのインタフェースを可能にし得る。加えて、出力ＡＰＩ１８５は、関係分析エンジン１００から１つ又は複数の第三者アプリケーション又はソフトウェアに出力インタフェースを提供する。例えば、出力ＡＰＩ１８５は、第三者アプリケーション又はソフトウェアが、分析エンジン１００を利用し、分析エンジン１００から受信した情報をそれ自体のユーザインタフェースに表示できるようにし得る。分析エンジン１００は、ユーザインタフェース１４０、入力ＡＰＩ１８０、及び／又は出力ＡＰＩ１８５を通して、ノード間の関係の品質についてのリアルタイムフィードバックを提供することができる。
【０１６４】
[0195]  関係分析エンジン１００はデータベース１９０を含むこともでき、データベース１９０は、コントローラ１０５に結合するか、又は別の方法で関連付けることができる。データベース１９０は、例えば、データマイナー１２５によりマイニングされた関係情報、過去分析１５５、リアルタイム分析１６０、予測分析１６５、スコアビルダ１７０により生成されるスコア、スコアに特定の証拠を表示するサジェスション及びトレーサ等を含む、関係分析エンジン１００の任意の構成要素に関連する任意の情報を記憶することができる。
【０１６５】
[0196]  関係分析エンジン１００は、様々な形態で実施することができる。例えば、関係分析エンジン１００は、データセンタに関連付けられた専用ラックマウントハードウェアシステムを使用して動作することができる。ある実施形態では、関係分析エンジン１００は、計算装置又はコンピュータと関連して動作する。ある実施形態では、関係分析エンジン１００は、ウェブページにインストールされるか、又は別の方法で関連付けることができるウィジェットである。ある実施形態では、関係分析エンジン１００は、スマートフォンアプリケーションとして実施される。ある実施形態では、関係分析エンジン１００は、ソーシャルネットワークに関連付けられたアプリケーションである。ある実施形態では、関係分析エンジン１００は、顧客関係管理（ＣＲＭ）ソフトウェア、ベンダーリソース管理（ＶＲＭ）ソフトウェア、及び／又は環境リソース管理（ＥＲＭ）ソフトウェア等の関係管理ソフトウェアのアドオンである。
【０１６６】
[0197]  例では、図５は、異なるコンテキスト（例えば、Ｃ１、Ｃ２、Ｃ３、Ｃ４、Ｃ５、及びＣ６）に関連付けて、送信者ノード（例えば、Ｓ１、Ｓ２、Ｓ３、Ｓ４、Ｓ５、・・・、Ｓｎ、Ｓｎ＋１）と受信者ノード（例えば、Ｒ１、Ｒ２、Ｒ３、Ｒ４、Ｒ５、・・・、Ｒｎ、Ｒｎ＋１）との間で伝送されるメッセージ２１０の流れ図を示す。
【０１６７】
[0198]  メッセージ２１０は、タイミングシーケンス２０５に従って送信者ノードと受信者ノードとの間で伝送される。各メッセージ２１０には、コンテキストを関連付けることができ、コンテキストはメッセージ毎に異なることができる。例えば、図５に示されるように、Ｓ１間で送信され、Ｒ１及びＲ２により受信されるメッセージには、コンテキストＣ１が関連付けることができる。別の例として、Ｓｎと受信者Ｒ５、Ｒｎ、及びＲｎ＋１との愛で送信されるメッセージには、コンテキストＣ４、Ｃ５、及びＣ６をそれぞれ関連付けることができる。所与の送信者ノードから送信されるメッセージが、同じコンテキストを有してもよく、又は異なるコンテキストを有してもよいことが理解される。
【０１６８】
[0199]  送信者ノードは、メッセージの送信者を表し、人物、エンティティ、コンピュータ等であることができる。受信者ノードは、メッセージの受信者を表し、人物、エンティティ、コンピュータ等であることができる。各ノードは、単一の人又はエンティティを表してもよく、又は代替的に、人々又はエンティティのグループを表してもよい。例えば、ノードは、世界中の視聴者への加入リストを表すことができる。メッセージ２１０は、電子メール、ブログ、ショートメッセージサービス（ＳＭＳ）テキストメッセージ、ポスト等を含むことができ、スレッドとして編成することができる。
【０１６９】
[0200]  図４の行動可能分析セクション１５０は、１つ又は複数のコンテキスト及びタイミングシーケンスに基づいて、１つ又は複数の関係に関する過去分析１５５、リアルタイム分析１６０、及び予測分析１６５を生成することができる。
【０１７０】
[0201]  図６Ａは、本発明の実施形態例による、１つ又は複数の関係を特定するパラメータの選択を示す。送信者ノード３１０等の１つ又は複数の送信者ノードを選択することができる。受信者ノード３１５等の１つ又は複数の受信者ノードを選択することができる。関心のある時間間隔３２０を時間シーケンス３０５上で選択することができる。コンテキスト３２５等の１つ又は複数のコンテキストを選択することができる。これらが例示的な選択であり、パラメータの任意の組合せを選択できることが理解される。選択は、例えば、ユーザインタフェース１４０、入力ＡＰＩ１８０、及び／又は出力ＡＰＩ１８５を通して行うことができる。ある実施形態では、選択はアルゴリズムにより、及び／又は自動的に行われる。
【０１７１】
[0202]  図６Ｂは、図６Ａの選択に関連する結果及び観測の分析及び表示を示す。パラメータ選択後、結果３３０及び／又は観測３３５を生成し、及び／又は表示することができる。結果３３０及び／又は観測３３５は、パラメータの選択、マイニングされた関係情報、及び詳細に記載される他の特定に基づく。関係分析エンジン１００又はその構成要素が結果３３０及び／又は観測３３５を生成することができることが理解される。
【０１７２】
[0203]  結果は、生産性３４０、関与３４５、信頼３５０、信用３５５、順守３６０、無関心３６５、無気力３７０、及び／又は断絶３７５等の関係値の１つ又は複数の品質を含むことができる。観測３３５は１つ又は複数の観測を含むことができる。例えば、観測１は「結果のコミュニケーション欠落」であることができる。観測２は「アクションアイテムの強調」であることができる。観測３は「目的の部分的承認」であることができる。観測４は、「切断されたアクションアイテム」であることができる。これらが例示的な観測であり、他の同様又は異なる種類の観測を行うことが可能なことが理解される。
【０１７３】
[0204]  加えて、詳細及び例（例えば、３８０）が、観測３３５の更なる詳細及び／又は例を提供することができる。詳細及び例はボタン３８０を含むことができ、ボタンは、観測３３５及び／又は結果３３０の更なる詳細及び／又は例を表示することができるように選択することができる。
【０１７４】
[0205]  図７Ａは、本発明の別の実施形態例による１つ又は複数の関係を特定するパラメータの選択を示す。信用４００等の関係値の１つ又は複数の品質を選択することができる。関心のある時間間隔４２０を時間シーケンス４０５上で選択することができる。コンテキスト４２５等の１つ又は複数のコンテキストを選択することができる。これらが例示的な選択であり、パラメータの任意の組合せが選択可能なことが理解される。選択は、例えば、ユーザインタフェース１４０、入力ＡＰＩ１８０、及び／又は出力ＡＰＩ１８５を通して行うことができる。ある実施形態では、選択はアルゴリズムにより、及び／又は自動的に行われる。
【０１７５】
[0206]  図７Ｂは、図７Ａの選択に関連付けられた１つ又は複数の関係の分析及び表示を示す。パラメータ選択後、センサノード４１０等の１つ又は複数の送信者ノードを強調表示又は他の方法で表示することができ、センサノードは前の選択に対応する。さらに、受信者ノード４１５等の１つ又は複数の受信者ノードは、強調表示又は他の方法で表示することができ、受信者ノードは前の選択に対応する。強調表示されたセンサノード４１０及び強調表示された受信者ノード４１５が例示であり、他の同様又は異なる種類の選択及び強調表示を行うことができることが理解される。
【０１７６】
[0207]  送信者ノード及び受信者ノードのいずれを強調表示又は他の方法で表示すべきかの判断は、パラメータの選択、マイニングされた関係情報、及び詳細に上述された他の判断に基づいて行われる。関係分析エンジン１００又はその構成要素が、送信者ノード４１０及び／又は受信者ノード４１５の強調表示又は他の方法での表示を生成することができることが理解される。さらに、送信者ノード４１０及び／又は受信者ノード４１５は、上述した選択に準拠する関係の品質の特定に従って強調表示又は他の方法で表示することができる。
【０１７７】
[0208]  図８は、ある実施形態例による、関係値のある品質から関係値の別の品質への遷移間のウェイポイントの図を示す。関係値の品質は、例えば、信用５１０、信頼５０５、関与５２０、及び／又は価値生成５１５を含むことができる。関係値のこれらの品質は、図６Ｂを参照して上述した信用３５５、信頼３５０、関与３４５、及び生産性３４０のそれぞれの結果と同様又は同じである値を表す。
【０１７８】
[0209]  関係は、ある品質値から別の品質値に遷移することができる。例えば、関係は、信用５１０から信頼５０５に、信頼５０５から価値生成５１５に、関与５２０から信用５１０へ、信頼５０５から関与５２０へ等に遷移することができる。そのような遷移の過程において、関係は様々なウェイポイントを通過することができる。換言すれば、図４の関係分析器は、関係値のある品質から関係値の別の品質への遷移間に１つ又は複数のウェイポイントを特定することができる。
【０１７９】
[0210]  ウェイポイントは、異なるパスに沿って配置することができる。例えば、パス５２５に価値生成５１５を関連付けることができ、パス５２５に沿って、関係は、承認、安全、及び感謝のウェイポイントを通過することができる。パス５２５はパス５３０に続き、パス５３０にも価値生成５１５を関連付けることができる。パス５３０に沿って、関係は、検証、目的、及び識別のウェイポイントを通過することができる。
【０１８０】
[0211]  別の例として、パス５３５に関与５２０を関連付けることができ、パス５３５に沿って、関係は、愛着、満足、及び帰属のウェイポイントを通過することができる。パス５３５はパス５４０に続くことができ、パス５４０にも関与５２０を関連付けることができる。パス５４０に沿って、関係は、意欲、方向、及び繋がりのウェイポイントを通過することができる。
【０１８１】
[0212]  さらに別の例として、パス５４５に信頼５０５を関連付けることができ、パス５４５に沿って、関係は意欲、方向、及び繋がりのウェイポイントを通過することができる。パス５４５はパス５５０に続くことができ、パス５５０にも信頼５０５を関連付けることができる。パス５５０に沿って、関係は愛着、満足、及び帰属のウェイポイントを通過することができる。
【０１８２】
[0213]  さらに別の例として、パス５５５に信用５１０を関連付けることができ、パス５５５に沿って、関係は、検証、目的、及び識別のウェイポイントを通過することができる。パス５５５はパス５６０に続くことができ、パス５６０も信用５１０を関連付けることができる。パス５６０に沿って、関係は、承認、安全、及び感謝のウェイポイントを通過することができる。
【０１８３】
[0214]  本明細書に開示されるパス及びウェイポイントが例示であり、他の同様のパス及びウェイポイントに、信用５１０、信頼５０５、関与５２０、及び／又は価値生成５１５の関係値の品質を関連付けることができることが理解される。
【０１８４】
[0215]  図４のスコアビルダ１７０は、ウェイポイントの１つ又は複数にスコア（例えば、５７０）を割り当てることができる。ウェイポイント間のスコアは、互いと比較して異なることができる。例えば、パス５２５に沿った感謝のウェイポイントのスコアは、パス５５０に沿った愛着のウェイポイントのスコアよりも高いスコアであることができる。関係がウェイポイントの１つを通過する際、スコアビルダ１７０は、所与のウェイポイントに関連付けられたスコアを関係に割り当てるか、又は別の方法で追加することができる。スコアビルダ１７０により所与の関係に割り当てられた全体スコアは、図４の関係分析器及び／又は関係分析エンジン１００の他の構成要素により行われる判断に使用することができる。
【０１８５】
[0216]  さらに、スコアビルダ１７０は、関係により得られる関係値の各品質で、関係にスコア（例えば、５７０）を割り当てるか、又は別の方法で追加することができる。例えば、異なるスコアに、信用５１０、信頼５０５、関与５２０、及び価値生成５１５の関係値の各品質を関連付けることができ、関連付けられたスコアは、関係値の特定の品質を有する関係に割り当てることができる。スコアビルダ１７０により所与の関係に割り当てられた全体スコアは、この態様を含むことができ、図４の関係分析器及び／又は関係分析エンジン１００の他の構成要素によりなされた判断に使用することができる。
【０１８６】
[0217]  例えば、図４の行動可能分析セクション１５０は、１つ又は複数のウェイポイントのスコア、関係の品質のスコア、及び／又は関係に割り当てられた全体スコアに基づく、１つ又は複数の関係に関する過去分析１５５、リアルタイム分析１６０、及び予測分析１６５を生成することができる。関係情報が抽出されるメッセージを使用して、異なるパス及び／又はウェイポイントを特定することができる。メッセージは、ノード（例えば、送信者又は受信者）、コンテキスト、及び／又はウェイポイントに関して分析し、分類し、ソートし、グループ化し、及び／又はタグ付けすることができる。
【０１８７】
[0218]  図９は、ある実施形態例による、関係値のある品質から関係値の別の品質への遷移間のウェイポイントの別の図を示す。関係値の品質は、例えば、断絶６１０、無気力６０５、無関心６２０、及び／又は順守６１５を含むことができる。関係値のこれらの品質は、図６Ｂを参照して上述した断絶３７５、無気力３７０、無関心３６５、及び順守３６０のそれぞれの結果と同様又は同じ値を表すことができる。
【０１８８】
[0219]  関係は、ある品質値から任意の他の品質値に遷移することができる。例えば、関係は、断絶６１０から無気力６０５へ、無気力６０５から順守６１５へ、無関心６２０から断絶６１０へ、無気力６０５から無関心６２０へ等に遷移することができる。関係が、図９に示される関係値のある品質から図８に示される関係値の別の品質に遷移することができることも理解される。関係が、図８に示される関係値のある品質から図９に示される関係値の別の品質に遷移することができることも理解される。
【０１８９】
[0220]  そのような遷移の過程において、関係は様々なウェイポイントを通過することができる。換言すれば、図４の関係分析器は、関係値のある品質から関係値の別の品質への遷移間に１つ又は複数のウェイポイントを特定することができる。
【０１９０】
[0221]  ウェイポイントは、異なるパスに沿って配置することができる。例えば、感情パス６２５に断絶６１０を関連付けることができ、パス６２５に沿って、関係は、拒絶、不安定、及び無視のウェイポイントを通過することができる。パス６２５はメンタルパス６３０に続き、メンタルパス６３０にも断絶６１０を関連付けることができる。パス６３０に沿って、関係は、批判、無目的、及びバリアのウェイポイントを通過することができる。
【０１９１】
[0222]  別の例として、スピリチュアルパス６３５に無気力６０５を関連付けることができ、パス６３５に沿って、関係は、分離、非充足、及び孤立のウェイポイントを通過することができる。パス６３５は物理的パス６４０に続くことができ、物理的パス６４０にも無気力６０５を関連付けることができる。パス６４０に沿って、関係は、切断、苦闘、及び失望のウェイポイントを通過することができる。
【０１９２】
[0223]  さらに別の例として、物理的パス６４５に無関心６２０を関連付けることができ、パス６４５に沿って、関係は切断、苦闘、及び失望のウェイポイントを通過することができる。パス６４５はパス６５０に続くことができ、パス６５０にも無関心６２０を関連付けることができる。パス６５０に沿って、関係は分離、非充足、及び孤立のウェイポイントを通過することができる。
【０１９３】
[0224]  さらに別の例として、メンタルパス６５５に順守６１５を関連付けることができ、パス６５５に沿って、関係は、批判、無目的、及びバリアのウェイポイントを通過することができる。パス６５５はパス６６０に続くことができ、パス６６０も順守６１５を関連付けることができる。パス６６０に沿って、関係は、拒絶、不安定、及び無視のウェイポイントを通過することができる。
【０１９４】
[0225]  本明細書に開示されるパス及びウェイポイントが例示であり、他の同様のパス及びウェイポイントに、断絶６１０、無気力６０５、無関心６２０、及び順守６１５の関係値の品質を関連付けることができることが理解される。
【０１９５】
[0226]  図４のスコアビルダ１７０は、ウェイポイントの１つ又は複数にスコア（例えば、６７０）を割り当てることができる。ウェイポイント間のスコアは、互いと比較して異なることができる。例えば、パス６２５に沿った無視のウェイポイントのスコアは、パス６６０に沿った拒絶のウェイポイントのスコアよりも高いスコアであることができる。関係がウェイポイントの１つを通過する際、スコアビルダ１７０は、所与のウェイポイントに関連付けられたスコアを関係に割り当てるか、又は別の方法で追加することができる。スコアビルダ１７０により所与の関係に割り当てられた全体スコアは、図４の関係分析器及び／又は関係分析エンジン１００の他の構成要素により行われる判断に使用することができる。
【０１９６】
[0227]  さらに、スコアビルダ１７０は、関係により得られる関係値の各品質で、関係にスコアを割り当てるか、又は別の方法で追加することができる。例えば、異なるスコアに、断絶６１０、無気力６０５、無関心６２０、及び／又は順守６１５の関係値の各品質を関連付けることができ、関連付けられたスコアは、関係値の特定の品質を有する関係に割り当てることができる。スコアビルダ１７０により所与の関係に割り当てられた全体スコアは、この態様を含むことができ、図４の関係分析器及び／又は関係分析エンジン１００の他の構成要素によりなされた判断に使用することができる。追加されるスコアが負のスコアであってもよく、それにより、関係に割り当てられる全体スコアに負の影響を及ぼすことが理解される。
【０１９７】
[0228]  図４の行動可能分析セクション１５０は、１つ又は複数のウェイポイントのスコア、関係の品質のスコア、及び／又は関係に割り当てられた全体スコアに基づいて、１つ又は複数の関係に関する過去分析１５５、リアルタイム分析１６０、及び予測分析１６５を生成することができる。関係情報が抽出されるメッセージを使用して、異なるパス及び／又はウェイポイントを特定することができる。メッセージは、ノード（例えば、送信者又は受信者）、コンテキスト、及び／又はウェイポイントに関して分析し、分類し、ソートし、グループ化し、及び／又はタグ付けすることができる。
【０１９８】
[0229]  図１０は、ある実施形態例による、関係値の品質７０５と、過去値、現在値、及び予測値のそれぞれを表すアイコン（例えば、７１０、７１５、及び７２０）を有する、関連付けられた関係インジケータ７２５とを示す。
【０１９９】
[0230]  行動可能分析セクション１５０は、１つ又は複数の関係に関係インジケータ（例えば、７２５）を生成することができる。関係インジケータ７２５は、過去分析１５５に関連付けられた関係値の過去品質７１０、リアルタイム分析１６０に関連付けられた関係値の現在品質７１５、及び予測分析１６５に関連付けられた関係値の予測品質７２０のインジケータを含む。
【０２００】
[0231]  関係インジケータは、３つの隣接又は近傍に配置されるアイコンを含むことができる。例えば、第１のアイコン７１０は関係値の過去の品質を示すことができ、第２のアイコン７１５は、関係値の現在又はリアルタイム品質を示すことができ、第３のアイコン７２０は、関係値の予測品質を示すことができる。アイコンは関係値の各品質の異なるパターンを示すが、代替的には、各アイコンが、異なる色又は形状を示して、関係値のある品質を別の品質と区別することができることが理解される。ある実施形態では、色の勾配内の個々の色が関係値の個々の品質を表すような色の勾配が使用される。実際には、アイコンの任意の区別態様を使用することにより、観測者は、関係の過去、現在、及び予測される将来の品質に関連付けられた関係値の品質を素早く区別し識別することができる。
【０２０１】
[0232]  より具体的には、第１のアイコン７１０により示される関係値の過去品質は、生産性７４０、関与７４５、信頼７５０、信用７５５、順守７６０、無関心７６５、無気力７７０、及び／又は断絶７７５の表現を含む。同様に、第２のアイコン７１５により示される関係値の現在品質は、生産性７４０、関与７４５、信頼７５０、信用７５５、順守７６０、無関心７６５、無気力７７０、及び／又は断絶７７５の表現を含む。第３のアイコン７２０により示される関係値の予測品質は、生産性７４０、関与７４５、信頼７５０、信用７５５、順守７６０、無関心７６５、無気力７７０、及び／又は断絶７７５の表現を含む。
【０２０２】
バックエンド
[0233]  本開示は、少なくとも１つの中央演算処理装置（ＣＰＵ）又は複数のＣＰＵを有するマイクロプロセッサ、コンピュータメモリ、ウェアラブル装置及び／又はセンサから信号を受信するように構成されるインタフェース電子回路及び調整電子回路を含むことができるテレメトリシステムを提供する。一実施形態では、調整電子回路の全て又は部分はウェアラブル装置にある。
【０２０３】
[0234]  一実施形態では、ＣＰＵは、マイクロプロセッサであることができる。プロセッサ、プロセッサがプログラムを実行する際にフェッチすることができる命令を記憶するのに使用される読み取り専用メモリ、プロセッサにより情報を記憶するのに使用するランダムアクセスメモリ（ＲＡＭ）、及びマスタドックを含む。マイクロプロセッサは、処理された各命令の実行において内部状態を通してマイクロプロセッサを並べるのに使用されるマスタタイミング信号を提供するマスタクロックにより制御される。一実施形態では、マクロプロセッサ、特にＣＰＵは、プロセッサ設計の実施に使用される必要な論理と同様に、ＣＭＯＳ等の低電力装置である。テレメトリシステムは、ユーザのメッセージ、表示、及び活動についての情報をメモリに記憶することができる。
【０２０４】
[0235]  このメモリは、ＣＰＵ外部であってもよいが、ＲＡＭに常駐してもよい。メモリは、バッテリバックＲＡＭ又は電子的に消去可能なプログラマブル読み取り専用メモリ（ＥＥＰＲＯＭ）等の不揮発性であることができる。メッセージ、表示、及び／又はセンサからの信号は、フィルタ、スケールを有し、特定の状況の存在を判断することができる調整電子回路と通信することができる。この調整は基本的に、ＣＰＵにより処理のために、信号をクリーンアップし、場合によっては、情報を事前処理する。次に、これらの信号は、インタフェース電子回路に渡され、インタフェース電子回路は、アナログ電圧又は電流をＣＰＵにより理解される二進数１及び０に変換する。テレメトリシステムは、過去データの評価においてＣＰＵにより達成される等の信号処理でのインテリジェンスを提供することもできる。
【０２０５】
[0236]  一実施形態では、ウェアラブル装置を装着しているユーザの行動、表現等は、異なる活動に使用することができ、テレメトリシステムにおいて異なる分類を有することができる。
【０２０６】
[0237]  分類は、ユーザが時間を費やすユーザの場所、メッセージ、通信、仕事関係の特定、家族関係の特定、社会的関係の特定等に応答して分類であることができる。これらの最後の少数の特定は、日時、対話のタイプ、他人との時間量の比較、日時、他人との交信頻度、他人との交信のタイプ、ユーザがいる場所及び場所のタイプ等に基づくことができる。これらの結果はデータベースに記憶される。
【０２０７】
[0238]  請求項に記載される主題の様々な実施形態の上記説明は、例示及び説明を目的として提供されている。網羅的である、すなわち、請求項に記載される主題を開示される厳密な形態に限定することは意図されない。多くの変更及び変形が当業者に明らかになる。特に、「構成要素」という概念は、上述したシステム及び方法の実施形態において使用されるが、そのような概念が、クラス、メソッド、タイプ、インタフェース、モジュール、オブジェクトモデル、及び他の適する概念等の均等な概念と同義で使用可能なことが明らかである。実施形態は、本発明の原理及びその実用を最良に説明するために選ばれ説明され、それにより、関連分野の当業者が請求項に記載される主題、様々な実施形態、及び意図される特定の使用に適する様々な変更を用いた実施形態を理解することができる。
【０２０８】
クラウド基盤
[0239]  本開示はクラウド基盤を提供する。図１１Ａは、クラウド基盤の論理図を表す。示されるように、クラウドは、ウェブアプリケーション、モバイル装置、パーソナルコンピュータ、及び／又はラップトップ及びTwitter（登録商標）（「Twitter（登録商標）」はTwitter Inc.の商標である）等のソーシャルネットワークを包含する。他のソーシャルネットワークをクラウドに含めてもよく、Twitter（登録商標）が具体例として与えられていることが理解される。したがって、あらゆる構成要素は、上述したようなサーバ、アプリケーション、及びクライアントを含むクラウドの部分を形成する。
【０２０９】
[0240]  図１１Ｂ〜図１１Ｅを参照して、クラウドベースのシステムは、ハードウェアリソースの利用及び／又はリモートクライアントへの割り振りの調整を促進することができる。システムは、計算タスクがプロプライエタリイントラネット内のクライアント又はサーバで実行することができる従来の技法と比較して、ユーザが計算性能の低下を知覚せずに、幾つかのクライアントからの要求に同時に応えることができる第三者サービスプロバイダを含むことができる。第三者サービスプロバイダ（例えば、「クラウド」）は、ハードウェアリソース及び／又はソフトウェアリソースの集まりをサポートする。ハードウェアリソース及び／又はソフトウェアリソースは、敷地外当事者により維持することができ、リソースは、ネットワークシステムを介して識別されたユーザによりアクセス及び利用することができる。第三者サービスプロバイダにより提供されるリソースは、中央に配置されてもよく、及び／又は様々な地理的場所に分散してもよい。例えば、第三者サービスプロバイダは、リソースを提供する任意の数のデータセンタ機を含むことができる。データセンタ機は、データの記憶／検索、計算タスクの実行、グラフィカル出力のレンダリング、データのルーティング等に利用することができる。
【０２１０】
[0241]  図によれば、第三者サービスプロバイダは、データ記憶サービス、計算サービス、言語処理サービス、電子メールサービス、提示サービス、スプレッドシートサービス、ゲーミングサービス、ウェブ同期サービス（例えば、ＲＳＳフィードへの加入）、及びパーソナルコンピュータ及び／又はローカルサーバに従来関連付けられる任意の他のサービス又はアプリケーション等の任意の数のリソースを提供することができる。さらに、第三者サービスプロバイダと同様の任意の数の第三者サービスプロバイダの利用が意図される。図によれば、敷地外当事者を区別することにより、別個の第三者サービスプロバイダを維持することができ、ユーザは、第三者サービスプロバイダの全て又はサブセットを同時に、異なるとき等に利用することができる。
【０２１１】
[0242]  第三者サービスプロバイダによりサポートされるリソースを利用することにより、プロプライエタリイントラネット内のクライアント及びサーバに関連付けられたハードウェアで一般に直面する制限を軽減することができる。敷地外当事者は、プロプライエタリイントラネット内のクライアントのユーザ又はサーバのネットワークシステム管理者の代わりに、ハードウェアリソースを維持し、トラブルシューティングし、置換し、更新することができる。さらに、例えば、長いダウンタイムは、冗長リソースを利用する第三者サービスプロバイダにより軽減することができ、すなわち、リソースのサブセットが更新又は置換されている場合、リソースの残りを利用して、ユーザからの要求に応えることができる。この例によれば、リソースはモジュール式であることができ、したがって、リソースは、リソースの残りがユーザ要求への応答をサポート可能である間、追加、削除、テスト、変更等することができる。さらに、第三者サービスプロバイダによりサポートされるハードウェアリソースは、プロプライエタリイントラネット内のクライアント及びサーバに関連付けられた従来のハードウェアと比較して、記憶、処理電力、セキュリティ、帯域幅、冗長性、グラフィカルディスプレイレンダリング性能等に関して直面し得る制約は少なくなる。
【０２１２】
[0243]  システムはクライアント装置を含むことができ、クライアント装置は、第三者サービスプロバイダのリソースを利用するウェアラブル装置及び／又はウェアラブル装置ユーザのモバイル装置であることができる。１つのクライアント装置が示されているが、システムが、クライアント装置と同様の任意の数のクライアント装置を含むことができ、複数のクライアント装置が、サポートされるリソースを同時に利用可能なことを理解されたい。例示として、クライアント装置はデスクトップ装置（例えば、パーソナルコンピュータ）、モバイル装置等であることができる。さらに、クライアント装置は、物理的に制限され得る埋め込みシステムであることができ、したがって、第三者サービスプロバイダのリソースを利用することが有益であり得る。
【０２１３】
[0244]  リソースは、第三者サービスプロバイダに加入している複数のクライアント装置間で共有することができる。図によれば、リソースの１つは少なくとも１つの中央演算処理装置（ＣＰＵ）であることができ、ＣＰＵサイクルを利用して、クライアント装置により要求された計算タスクを実行することができる。この図によれば、クライアント装置に、ＣＰＵサイクルの全体総数のサブセットに割り振ることができ、一方、ＣＰＵサイクルの残りは、別個のクライアント装置に割り振ることができる。追加又は代替として、クライアント装置に割り振られるＣＰＵサイクルの合計総数のサブセットは、経時変更し得る。さらに、ＣＰＵサイクル数は、クライアント装置のユーザにより購入することができる。別の例によれば、リソースは、データを保持するためにクライアント装置により利用することができるデータストアを含むことができる。クライアント装置を利用するユーザは、第三者サービスプロバイダによりサポートされるデータストアの部分にアクセスすることができ、一方、データストアの残りの部分へのアクセスは拒絶することができる（例えば、データストアは、ユーザ／装置識別情報、許可等に基づいてメモリを選択的にマスキングすることができる）。任意の追加のタイプのリソースも同様に共有可能なことが意図される。
【０２１４】
[0245]  第三者サービスプロバイダはインタフェース構成要素をさらに含むことができ、インタフェース構成要素は、入力をクライアント装置から受信し、及び／又はそのような入力への応答をクライアント装置に転送できるようにする（並びに任意の別個のクライアント装置との同様の通信を実行する）ことができる。例によれば、入力は要求、データ実行可能プログラム等であることができる。例えば、クライアント装置からの要求は、１つ又は複数のリソースの利用を介して、計算タスクの実行、データの記憶／検索、ユーザインタフェースのレンダリング等に関連することができる。さらに、インタフェース構成要素は、ネットワークシステム接続を介してデータを取得及び／又は送信することができる。図によれば、実行可能コードをインタフェース構成要素によりネットワークシステム接続を介して受信及び／又は送信することができる。別の例によれば、ユーザ（例えば、クライアント装置を利用している）は、インタフェース構成要素を介してコマンドを発行することができる。
【０２１５】
[0246]  一実施形態では、第三者サービスプロバイダは、リソースを分配する動的割り振り構成要素を含み、リソースは、非限定的な例として、入力（例えば、クライアント装置から得られる要求、データ、実行可能プログラム等）を処理し、入力に応答するために第三者サービスプロバイダによりサポートされるハードウェアリソースであることができる。
【０２１６】
[0247]  インタフェース構成要素は動的割り振り構成要素と別個であるものとして示されているが、動的割り振り構成要素がインタフェース構成要素又はその部分を含むことができることが意図される。インタフェース構成要素は、様々なアダプタ、コネクタ、チャネル、通信パス等を提供することができ、それにより、動的割り振り構成要素と対話できるようにする。
【０２１７】
[0248]  図１１Ｂを参照すると、システムは、クライアント装置及び／又は示されていない別個のクライアント装置により利用することができる任意の数のリソース（例えば、ハードウェア、ソフトウェア、及びファームウェア）をサポートする第三者サービスプロバイダを含む。第三者サービスプロバイダは、クライアント装置から第三者サービスプロバイダによりサポートされるリソースを利用する動作を実行する要求を含むが、これに限定されないリソース利用要求を受信するインタフェース構成要素と、ユーザ、装置、通信タスク等間を含むが、これらに限定されないリソースを分割する動的割り振り構成要素とをさらに含む。さらに、動的割り振り構成要素は、ユーザ状態評価器、強化構成要素、及びオークション構成要素をさらに含むことができる。
【０２１８】
[0249]  ユーザ状態評価器は、ユーザ及び／又はユーザにより利用されるクライアント装置に関連付けられた状態を特定することができ、ここで、状態は１組の属性を指すことができる。例えば、ユーザ状態評価器は、クライアント装置から得られ（例えば、インタフェース構成要素を介して）、及び／又は第三者サービスプロバイダに関連付けられたメモリから検索される（例えば、加入データにおいて示される嗜好）明示的な情報及び／又は暗示的情報を分析することができる。動的割り振り構成要素は、ユーザ状態評価器によりもたらされる状態関連データを利用して、リソースの分配を調整することができる。
【０２１９】
[0250]  一実施形態では、ユーザ状態評価器は、クライアント装置の特徴を考慮することができ、特徴は、動的割り振り構成要素によるリソースの分配に使用することができる。例えば、ユーザ状態評価器は、クライアント装置が、限られた表示面積を有するモバイル装置であることを識別することができる。したがって、動的割り振り構成要素は、この情報を利用して、クライアント装置に画像をレンダリングするために利用されるリソースを低減することができ、その理由は、セルラ電話が、グラフィカル豊富なユーザインタフェースを表示することができないことがあるためである。
【０２２０】
[0251]  さらに、強化構成要素は、特定のユーザ及び／又はクライアント装置へのリソースの割り振りの増大を促進することができる。
【０２２１】
[0252]  図１１Ｄを参照して、負荷平衡を利用して、リソースの利用を最適化するシステムを示す。システムは、クライアント装置（及び／又は任意の別個のクライアント装置及び／又は別個の第三者サービスプロバイダ）と通信する第三者サービスプロバイダを含む。第三者サービスプロバイダは、クライアント装置からデータを送信及び／又は受信するインタフェース構成要素と、リソースを割り振る動的割り振り構成要素とを含むことができる。動的割り振り構成要素は、リソースの利用を最適化する負荷平衡構成要素をさらに含むことができる。
【０２２２】
[0253]  一実施形態では、負荷平衡構成要素は、第三者サービスプロバイダのリソースをモニタリングして、故障を検出することができる。リソースのサブセットが故障する場合、負荷平衡構成要素は、残りのリソースを引き続き最適化することができる。したがって、プロセッサの総数のうちの一部が故障した場合、負荷平衡構成要素は、非故障プロセッサに関連付けられたサイクルを再分配できるようにすることができる。
【０２２３】
[0254]  図１１Ｅを参照して、第三者サービスプロバイダを利用してデータを保存及び／又は分析するシステムを示す。第三者サービスプロバイダは、クライアント装置と通信できるようにするインタフェース構成要素を含むことができる。さらに、第三者サービスプロバイダは、例えば、データ保持リソースを分配することができる動的割り振り構成要素を含む。さらに、第三者サービスプロバイダは、保存構成要素及び任意の数のデータストアを含むことができる。クライアント装置（及び／又は任意の別個のクライアント装置）による保存構成要素及び／又はデータストアのアクセス及び／又は利用は、動的割り振り構成要素により制御することができる。データストアは、中央に配置され、及び／又は異なる地理的場所に位置することができる。さらに、保存構成要素は、管理構成要素、バージョニング構成要素、セキュリティ構成要素、許可構成要素、集計構成要素、及びリストア構成要素を含むことができる。
【０２２４】
[0255]  データストアは、例えば、揮発性メモリ若しくは不揮発性メモリであることができ、又は揮発性メモリ及び不揮発性メモリの両方を含むことができる。限定ではなく例示として、不揮発性メモリは、読み取り専用メモリ（ＲＯＭ）、プログラマブルＲＯＭ（ＰＲＯＭ）、電気的プログラマブルＲＯＭ（ＥＰＲＯＭ）、電気的に消去可能プログラマブルＲＯＭ（ＥＥＰＲＯＭ）、又はフラッシュメモリを含むことができる。揮発性メモリは、外部キャッシュメモリとして機能するランダムアクセスメモリ（ＲＡＭ）を含むことができる。限定ではなく例示として、ＲＡＭは、静的ＲＡＭ（ＳＲＡＭ）、動的ＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、ランバスダイレクトＲＡＭ（ＲＤＲＡＭ）、ダイレクトランダム動的ＲＡＭ（ＤＲＤＲＡＭ）、及びランバス動的ＲＡＭ（ＲＤＲＡＭ）等の多くの形態で利用可能である。本システム及び本方法のデータストアは、これら及び任意の他の適するタイプのメモリを含むことが意図されるが、これらに限定されない。加えて、データストアがサーバ、データベース、ハードドライブ等であることができることを理解されたい。
【０２２５】
[0256]  管理構成要素は、データストアに保持されたデータの管理を促進する。管理構成要素は、例えば、データストア内の多階層記憶を提供できるようにすることができる。この例によれば、非使用データは古くなり、より遅いディスクに移すことができ、より頻繁に使用される重要なデータはより高速のディスクに移すことができるが、しかし、請求項に記載される主題はそのように限定されない。さらに、管理構成要素を利用して、（例えば、クライアント装置が）、クライアント装置にローカルにせずに、内容を編成、注釈付け、及び別の方法で参照することができる。図によれば、セル電話の利用を介して、膨大なビデオファイルをタグ付けすることができる。さらに、管理構成要素は、クライアント装置が、クライアント装置にローカルであることができるメタデータをファイルストリーム（例えば、データストアに保持される）にバインドできるようにし、管理構成要素は、これらのバインドを実施し保持することができる。
【０２２６】
[0257]  追加又は代替として、管理構成要素は、データストア内に保持されるデータを別個のユーザ及び／又はクライアント装置と共有できるようにすることができる。例えば、管理構成要素により、微細粒度共有をサポートすることができる。
【０２２７】
[0258]  バージョニング構成要素は、データのバージョンの保持及び／又は追跡を可能にすることができる。例えば、バージョニング構成要素は、ドキュメントの最新バージョンを識別することができる（データストア内の保存ロケーションに関係なく）。
【０２２８】
[0259]  セキュリティ構成要素は、ユーザ識別情報及び／又は認可レベルに基づいてリソースの可用性を制限する。例えば、セキュリティ構成要素は、クライアント装置に転送されるデータを暗号化し、及び／又はクライアント装置から得られたデータを復号化することができる。さらに、セキュリティ構成要素は、保存構成要素により保持されるデータを認証及び／又は証明することができる。
【０２２９】
[0260]  許可構成要素は、ユーザが、任意のアクセス許可を様々なユーザ、ユーザグループ、及び／又は全てのユーザに割り当てられるようにすることができる。
【０２３０】
[0261]  さらに、集計構成要素は、データの集まりを整理及び／又は分析する。集計構成要素は、第三者データを特定のユーザデータにシームレスに組み込むことができる。
【０２３１】
[0262]  リストア構成要素は、保存構成要素により保持されたデータをロールバックする。例えば、リストア構成要素は、第三者サービスプロバイダに関連付けられた環境を常時記録することができる。さらに、リストア構成要素は記録を再生することができる。
【０２３２】
発光ダイオード
[0263]  図１７は、本開示のディスプレイ及び表示装置との併用に利用し得るような発光ダイオード（ＬＥＤ）駆動回路を示す。ＬＥＤ駆動回路は、駆動回路も含む表示システム内で製作される。駆動回路は、ＣＰＵ２００、タイミング制御回路２０１、ディスプレイメモリユニット２０２、及びデジタルエンコーダ２０３を含み、これらは協働して動作して、ディスプレイの駆動に使用される信号を生成する。ＣＰＵ２００の出力信号は、タイミング制御回路２０１を介してデジタルエンコーダ２０３に転送される。その間、ディスプレイメモリユニット２０２に記憶されたデジタルドットマトリックスのデータが、デジタルエンコーダ２０３に転送される。なお、ディスプレイメモリユニット２０２は、ＣＰＵ２００により提供されるデジタル画像信号を記憶し、任意選択的な装置である。したがって、スペース又はコスト削減の考慮下で、ディスプレイメモリユニット２０２は省くことができる。そして、デジタルドットマトリックスデータは、ＣＰＵ２００から直接デジタルエンコーダ２０３に搬送することができる。
【０２３３】
[0264]  一実施形態では、ＬＥＤ駆動回路は、参照番号３００により示される破線枠に囲まれる図２の回路の下部である。ＬＥＤディスプレイを駆動して、タイミング制御回路２０１からの水平同期信号Ｈｓ、垂直同期信号Ｖｓ、及びＰ−ＣＬＫ信号の制御下で、ディスプレイメモリユニット２０２に記憶されたデジタルビデオ画像を生成することが考案されている。実際には、ＬＥＤ駆動回路３００は、ＬＳＩ集積回路内のデジタルＬＥＤ、ナノテクノロジー、及び他に関連する表示技術に基づくリストバンド駆動回路と実施することができる。代替的には、ＬＥＤ駆動回路３００は、個々のＬＥＤディスプレイの駆動に使用される独立機能ユニットであることができる。
【０２３４】
[0265]  一実施形態では、ＬＥＤ駆動回路３００は、デジタルガンマ補正回路２２１、ＬＥＤタイミング制御回路２２２、及びＰＷＭ・シャットダウン回路２２３を含む。
【０２３５】
[0266]  動作において、タイミング制御回路２０１からの出力水平同期信号Ｈｓ、垂直同期信号Ｖｓ、及びＰ−ＣＬＫ信号は、ＬＥＤ駆動回路３００内のＬＥＤタイミング制御回路２２２に直接転送される。次に、ＬＥＤタイミング制御回路２２２は、これらの信号を処理し、それにより、ＬＥＤディスプレイの駆動に必要な様々なビデオ制御信号を生成する。ＬＥＤディスプレイは、有機発光ダイオード（ＯＬＥＤ）ディスプレイであることができる。ＬＥＤディスプレイは可撓性を有し得る。
【０２３６】
[0267]  一実施形態では、ＬＥＤタイミング制御回路２２２は、ユーザが、ビデオ画像の生成に望ましいＬＥＤディスプレイの解像度を設定できるようにする解像度設定ユニット２０をさらに含む。所望の解像度が設定されると、ＬＥＤタイミング制御回路２２２は、単純に、ＬＥＤディスプレイの解像度の制御に使用される論理信号の状態を変更することにより、ユーザ設定解像度にＬＥＤディスプレイを調整することができる。異なる解像度を設定すべき場合、回路の周辺構成要素を変更し得る図１の従来技術と比較して、本発明が使用により好都合なことが明らかである。回路はフェーズロックループ（ＰＬＬ）回路であり得る。
【０２３７】
[0268]  ＬＥＤディスプレイに表示されるデジタルビデオ画像は、ディスプレイメモリユニット２０２からデジタルガンマ補正回路２２１に直接転送される。デジタルガンマ補正回路２２１は、デジタルガンマ補正プロセスをデジタルビデオ信号に対して実行する。
【０２３８】
[0269]  さらに、ＬＥＤ駆動回路３００は、ＰＷＭ・シャットダウン回路２２３を利用して、ＬＥＤディスプレイの様々な部分の給電に必要な全てのＤＣ電圧を提供する。動作において、ＰＷＭ・シャットダウン回路２２３は、外部電圧ＶＤＣを受信し、フィルタリング回路２３０と併せて、電圧ＶＤＣをＬＥＤディスプレイの様々な部分の給電に使用される様々なＤＣ電圧に変換する。
【０２３９】
[0270]  ＰＷＭ・シャットダウン回路２２３は、シャットダウントリガー入力ポート３０をさらに含む。ＬＥＤディスプレイが、予め設定される期間にわたりアイドルであった場合、シャットダウントリガー信号が、このポート３０を介してＰＷＭ・シャットダウン回路２２３に入力され、消費電力を制限するために、ＰＷＭ・シャットダウン回路２２３にＬＥＤディスプレイをシャットダウンさせる。
【０２４０】
[0271]  一実施形態では、ビデオ画像を忠実性にあまり損失なく表示できるように、直接デジタル処理されるべきデジタルビデオ信号。駆動回路を実施により費用効率的にするとともに、より少数の回路構成要素を用いて構築することも可能である。ＬＥＤ駆動回路の消費電力はより低く、ＬＥＤ駆動回路は、従来技術の多くのアナログ調整を行う必要なく動作することができる。
【０２４１】
[0272]  一実施形態では、デジタルガンマ補正回路２２１は、従来技術でのようにアナログ様式ではなく、デジタル様式でビデオ信号に対してガンマ補正を実行する。したがって、ガンマ補正は、ＬＥＤディスプレイの特徴に基づいて実行して、最適で最も細かい補正を提供することができる。
【０２４２】
[0273]  一実施形態では、本発明のＬＥＤ駆動回路のデジタル性により、デジタルユニット（この場合、解像度設定ユニット２０）を通して、ＬＥＤディスプレイの様々な解像度を選択することができる。したがって、解像度設定は、異なる解像度を設定すべき場合、ＰＬＬ回路の幾つかの周辺構成要素を置換する必要がある従来技術よりも好都合である。
【０２４３】
モバイル装置
[0274]  図１２、図１３、及び図１４を参照して、本開示のウェアラブル装置と併用することができるモバイル装置又は計算装置を示す図を提供する。
【０２４４】
[0275]  図１２を参照すると、モバイル又は計算装置は、タッチセンシティブディスプレイであることができるディスプレイを含むことができる。タッチセンシティブディスプレイは、便宜上、「タッチスクリーン」と呼ばれることがあり、タッチセンシティブディスプレイシステムとしても知られ、又は呼ばれ得る。モバイル又は計算装置は、メモリ（１つ又は複数のコンピュータ可読記憶媒体を含み得る）、メモリコントローラ、１つ又は複数の処理装置（ＣＰＵ）、周辺機器インタフェース、ＲＦ回路を含むが、これに限定されないネットワークシステム回路、オーディオ回路、スピーカ、マイクロフォン、入／出力（Ｉ／Ｏ）サブシステム、他の入力又は出力装置、及び外部ポートを含み得る。ある例では、タッチセンシティブディスプレイは、容量性又は抵抗性ディスプレイである。モバイル又は計算装置は、１つ又は複数の光学センサを含み得る。これらの構成要素は、１つ又は複数の通信バス又は信号回線を介して通信し得る。
【０２４５】
[0276]  モバイル又は計算装置が、ポータブル多機能モバイル又は計算装置の単なる一例であり、モバイル又は計算装置が、示されるよりも多数又は少数の構成要素を有してもよく、２つ以上の構成要素を結合してもよく、又は異なる構成若しくは配置の構成要素を有してもよいことが理解される。図１４に示される様々な構成要素は、１つ又は複数の信号処理及び／又は特定用途向け集積回路を含め、ハードウェア、ソフトウェア、又はハードウェアとソフトウェアとの組合せで実施し得る。
【０２４６】
[0277]  メモリは、高速ランダムアクセスメモリを含み得、１つ又は複数の磁気ディスク記憶装置、フラッシュメモリデバイス、又は他の不揮発性固体状態メモリ装置等の不揮発性メモリを含むこともできる。ＣＰＵ及び周辺機器インタフェース等のモバイル装置又は計算装置の他の構成要素によるメモリへのアクセスは、メモリコントローラにより制御することができる。
【０２４７】
[0278]  周辺機器インタフェースは、装置の入出力周辺機器をＣＰＵ及びメモリに結合する。１つ又は複数のプロセッサは、メモリに記憶された様々なソフトウェアプログラム及び／又は命令セットを走らせるか、又は実行して、モバイル若しくは計算装置の様々な機能を実行するとともに、データを処理する。
【０２４８】
[0279]  ある実施形態では、周辺機器インタフェース、ＣＰＵ、及びメモリコントローラは、チップ等の単一のチップに実装し得る。幾つかの他の実施形態では、別個のチップに実装し得る。
【０２４９】
[0280]  ネットワークシステム回路は、電磁信号と呼ばれることもあるＲＦを含むが、これらに限定されない信号を送受信する。ネットワークシステム回路は、電気信号を電磁信号に／から変換し、電磁信号を介して通信ネットワークシステム及び他の通信装置と通信する。ネットワークシステム回路は、アンテナシステム、ＲＦ送受信機、１つ又は複数の増幅器、調整器、１つ又は複数の発振器、デジタル信号プロセッサ、ＣＯＤＥＣチップセット、加入者識別モジュール（ＳＩＭ）カード、メモリ等を含むが、これらに限定されないこれらの機能を実行する周知の回路を含み得る。ネットワークシステム回路は、ネットワークシステム及び他の装置と無線通信により通信し得る。
【０２５０】
[0281]  無線通信は、移動通信用グローバルシステム（ＧＳＭ）、エンハンストデータＧＳＭ環境（ＥＤＧＥ）、高速ダウンリンクパケットアクセス（ＨＳＤＰＡ）、ワイドバンドコード分割多重アクセス（Ｗ−ＣＤＭＡ）、コード分割多重アクセス（ＣＤＭＡ）、時分割多重アクセス（ＴＤＭＡ）、BLUETOOTH（登録商標）、ワイヤレスフィデリティ（Ｗｉ−Ｆｉ）（例えば、ＩＥＥＥ８０２．１１ａ、ＩＥＥＥ８０２．１１ｂ、ＩＥＥＥ８０２．１１ｇ、及び／又はＩＥＥＥ８０２．１１ｎ）、ボイスオーバーインターネットプロトコル（ＶｏＩＰ）、Ｗｉ−ＭＡＸ、電子メール用プロトコル（例えば、インターネットメッセージアクセスプロトコル（ＩＭＡＰ）及び／又はポストオフィスプロトコル（ＰＯＰ））、インスタントメッセージング（例えば、エクステンシブルメッセージング及びプレゼンスプロトコル（ＸＭＰＰ）、インスタントメッセージング及びプレゼンスレバレッジエクステンションのためのセッションイニシエーションプロトコル（ＳＩＭＰＬＥ）、インスタントメッセージング及びプレゼンスサービス（ＩＭＰＳ））、及び／又はショートメッセージングサービス（ＳＭＳ）、又は本出願の出願日にまだ開発されていない通信プロトコルを含む他の適切な通信プロトコルを含むが、それらに限定されない任意の複数の通信標準、プロトコル、及び技術を使用し得る。
【０２５１】
[0282]  オーディオ回路、スピーカ、及びマイクロフォンは、オーディオインタフェースをユーザとモバイル又は計算装置との間に提供する。オーディオ回路は、オーディオデータを周辺機器インタフェースから受信し、オーディオデータを電気信号に変換し、電気信号をスピーカに送信する。スピーカは、電気信号を人間可聴音波に変換する。オーディオ回路は、音波からマイクロフォンにより変換された電気信号も受信する。オーディオ回路は、電気信号をオーディオデータに変換し、オーディオデータを処理のために周辺機器インタフェースに送信する。オーディオデータは、周辺機器インタフェースによりメモリ及び／又はネットワークシステム回路から受信し、及び／又はに送信し得る。ある実施形態では、オーディオ回路はヘッドセットジャック（図１２）を含むこともできる。ヘッドセットジャックは、オーディオ回路と、出力のみヘッドフォン又は出力（例えば、片耳若しくは両耳用のヘッドフォン）及び入力（例えば、マイクロフォン）の両方を有するヘッドセット等のリムーバブルオーディオ入／出力周辺機器との間にインタフェースを提供する。
【０２５２】
[0283]  Ｉ／Ｏサブシステムは、タッチスクリーン及び他の入／出力装置等のモバイル又は計算装置上の入／出力周辺機器を周辺機器インタフェースに結合する。Ｉ／Ｏサブシステムは、ディスプレイコントローラ及び他の入力装置又は制御装置の１つ又は複数の入力コントローラを含み得る。１つ又は複数の入力コントローラは、電気信号を他の入力装置又は制御装置と送／受信する。他の入／出力装置は、物理的ボタン（例えば、押しボタン、ロッカーボタン等）、ダイアル、スライダスイッチ、及びジョイスティック、クリックホィール等を含み得る。幾つかの代替の実施形態では、入力コントローラは、以下のうちの任意に結合し得る（又はいずれにも結合されなくてもよい）：キーボード、赤外線ポート、ＵＳＢポート、及びマウス等のポインタデバイス。１つ又は複数のボタンは、スピーカ及び／又はマイクロフォンの音量制御用のアップ／ダウンボタンを含み得る。１つ又は複数のボタンは押しボタンを含み得る。２００５年１２月２３日に出願された「Unlocking a Device by Performing Gestures on an Unlock Image」という名称の米国特許出願第１１／３２２，５４９号に記載のように、押しボタンの素早い押下は、タッチスクリーンのロックを解除するか、又はタッチスクリーン上のジェスチャを使用して、装置をアンロックするプロセスを開始し得、この特許出願は全体的に、参照により本明細書に援用される。押しボタンをより長く押すと、モバイル又は計算装置の電源をオン又はオフにし得る。ユーザは、ボタンのうちの１つ又は複数の機能をカスタマイズすることが可能であり得る。タッチスクリーンを使用して、仮想又はソフトボタン及び１つ又は複数のソフトキーボードを実施する。
【０２５３】
[0284]  タッチセンシティブタッチスクリーンは、装置とユーザとの間に入力インタフェース及び出力インタフェースを提供する。ディスプレイコントローラは、電気信号をタッチスクリーンと送受信する。タッチスクリーンは、視覚的出力をユーザに表示する。視覚的出力は、グラフィックス、テキスト、アイコン、ビデオ、及びそれらの任意の組合せ（まとめて「グラフィックス」と呼ばれる）を含み得る。ある実施形態では、視覚的出力の幾つか又は全ては、ユーザインタフェースオブジェクトに対応し得、この更なる詳細について以下に説明する。
【０２５４】
[0285]  タッチスクリーンは、タッチセンシティブ表面、触覚及び／又は触感接触に基づいてユーザから入力を受け入れるセンサ又はセンサセットを有する。タッチスクリーン及びディスプレイコントローラ（任意の関連付けられたモジュール及び／又はメモリ内の情報セットと共に）は、タッチスクリーンへの接触（及び接触の任意の移動及び接触消失）を検出し、検出された接触をタッチスクリーンに表示されるユーザインタフェースオブジェクトとの対話（例えば、１つ又は複数のソフトキー、アイコン、ウェブページ、又は画像）に変換する。例示的な実施形態では、タッチスクリーンとユーザとの接触点は、ユーザの指に対応する。
【０２５５】
[0286]  タッチスクリーンは、ＬＣＤ（液晶ディスプレイ）技術又はＬＰＤ（発光ポリマーディスプレイ）技術を使用し得るが、他の実施形態では、他のディスプレイ技術を使用し得る。タッチスクリーン及びディスプレイコントローラは、容量、抵抗、赤外線、及び表面音響並技術、並びに他の近接センサアレイ又はタッチスクリーンとの１つ又は複数の接触点を特定する他の要素を含むが、これらに限定されない、現在既知であるか、又は後に開発される複数のタッチ検知技術の任意の技術を使用して、接触及び任意の動き又はその接触切断を検出し得る。
【０２５６】
[0287]  タッチスクリーンのある実施形態でのタッチセンシティブディスプレイは、以下の米国特許第６，３２３，８４６号（Westermanら）、米国特許第６，５７０，５５７号（Westermanら）、米国特許第６，６７７，９３２号（Westerman）、及び／又は米国特許公開第２００２／００１５０２４Ａ１号に記載されるマルチタッチセンシティブタブレットと同様であり得、これらはそれぞれ全体的に、参照により本明細書に援用される。しかし、タッチスクリーンは、ポータブルモバイル又は計算装置からの視覚的出力を表示し、一方、タッチセンシティブタブレットは視覚的出力を提供しない。
【０２５７】
[0288]  タッチスクリーンのある実施形態でのタッチセンシティブディスプレイは、以下の出願に記載のようなものであり得る：（１）２００６年５月１２日に出願された「Multipoint Touch Surface Controller」という名称の米国特許出願第１１／３８１，３１３号、（２）２００４年５月６日に出願された「Multipoint Touchscreen」という名称の米国特許出願第１０／８４０，８６２号、（３）２００４年７月３０日に出願された「Gestures For Touch Sensitive Input Devices」という名称の米国特許出願第１０／９０３，９６４号、（４）２００５年１月３１日に出願された「Gestures For Touch Sensitive Input Devices」という名称の米国特許出願第１１／０４８，２６４号、（５）２００５年１月１８日に出願された「Mode-Based Graphical User Interfaces For Touch Sensitive Input Devices」という名称の米国特許出願第１１／０３８，５９０号、（６）２００５年９月１６日に出願された「Virtual Input Device Placement On A Touch Screen User Interface」という名称の米国特許出願第１１／２２８，７５８号、（７）２００５年９月１６日に出願された「Operation Of A Computer With A Touch Screen Interface」という名称の米国特許出願第１１／２２８，７００号、（８）２００５年９月１６日に出願された「Activating Virtual Keys Of A Touch-Screen Virtual Keyboad」という名称の米国特許出願第１１／２２８，７３７号、（９）２００６年３月３日に出願された「Multi-Functional Hand-Held Device」という名称の米国特許出願第１１／３６７，７４９号。これらの出願は全て全体的に、参照により本明細書に援用される。
【０２５８】
[0289]  タッチスクリーンは、１０００ｄｐｉを超える解像度を有し得る。例示的な実施形態では、タッチスクリーンは約１０６０ｄｐｉの解像度を有する。ユーザは、スタイラス、指等の任意の適する物体又は附属器官を使用してタッチスクリーンに接触し得る。ある実施形態では、ユーザインタフェースは、主に指ベースの接触及びジェスチャで機能するように設計され、これらは、タッチスクリーン上の指の接触面積がより広いことに起因して、スタイラスベースの入力よりも精密さがはるかに低い。ある実施形態では、装置は、大まかな指ベースの入力を、ユーザが望む動作を実行する精密なポインタ／カーソル位置又はコマンドに変換する。
【０２５９】
[0290]  ある実施形態では、タッチスクリーンに加えて、モバイル又は計算装置は、特定の機能をアクティブ化又は非アクティブ化するタッチパッド（図示せず）を含み得る。ある実施形態では、タッチパッドは、タッチスクリーンとは異なり、視覚的出力を表示しない装置のタッチセンシティブエリアである。タッチパッドは、タッチスクリーンとは別個のタッチセンシティブ表面であるか、又はタッチスクリーンにより形成されるタッチセンシティブエリアの拡張部であり得る。
【０２６０】
[0291]  ある実施形態では、モバイル又は計算装置は、入力制御装置として物理的又は仮想クリックホィールを含み得る。ユーザは、クリックホィールを回転させるか、又はクリックホィールとの接触点を動かす（例えば、接触点の移動量が、クリックホィールの中心点との角度変位により測定される場合）ことにより、タッチスクリーンに表示された１つ又は複数のグラフィカルオブジェクト（以下、アイコンと呼ぶ）間でナビゲートし、対話し得る。クリックホィールは、表示された１つ又は複数のアイコンを選択するのに使用することもできる。例えば、ユーザは、クリックホィールの少なくとも部分又は関連付けられたボタンを押下し得る。クリックホィールを介してユーザにより提供されるユーザコマンド及びナビゲーションコマンドは、入力コントローラ及びメモリ内のモジュール及び／又は命令セットのうちの１つ又は複数により処理し得る。仮想クリックホィールの場合、クリックホィール及びクリックホィールコントローラはそれぞれ、タッチスクリーン及びディスプレイコントローラの一部であり得る。仮想クリックホィールの場合、クリックホィールは、装置とのユーザ対話に応答してタッチスクリーンディスプレイ上に出現及び消失する不透明又は半透明のオブジェクトであり得る。ある実施形態では、仮想クリックホィールは、ポータブル他機能装置のタッチスクリーンに表示され、タッチスクリーンに接触するユーザにより操作される。
【０２６１】
[0292]  モバイル又は計算装置は、様々な構成要素に給電する電力システムも含む。電力システムは、電力管理システム、１つ又は複数の電源（例えば、電池、交流電流（ＡＣ））、充電システム、電力障害検出回路、電力変換器又はインバータ、電力ステータスインジケータ（例えば、発光ダイオード（ＬＥＤ））、及びポータブル装置での電力の生成、管理、及び分配に関連付けられた任意の他の構成要素を含み得る。
【０２６２】
[0293]  モバイル又は計算装置は、光学センサを含むが、これに限定されない１つ又は複数のセンサを含むこともできる。図１４は、光学センサがＩ／Ｏサブシステム内の光学センサコントローラにいかに結合されるかを示す。光学センサは、電荷結合素子（ＣＣＤ）又は相補型金属酸化膜半導体（ＣＭＯＳ）フォトトランジスタを含み得る。光学センサは、環境から光を受け取り、１つ又は複数のレンズを通して投射し、画像を表すデータに光を変換する。撮像モジュール５８（カメラモジュールとも呼ばれる）と併せて、光学センサは、静止画像又はビデオを捕捉し得る。ある実施形態では、光学センサは、装置の前面にあるタッチスクリーンとは逆のモバイル又は計算装置の背面に配置され、それにより、タッチスクリーンディスプレイは、静止画像取得及び／又はビデオ画像取得のいずれかのビューファインダとして使用し得る。ある実施形態では、光学センサは装置の前面に配置され、それにより、ユーザが他のテレビ会議参加者をタッチスクリーンディスプレイで閲覧しながら、テレビ会議用にユーザの画像を取得し得る。ある実施形態では、光学センサの位置は、ユーザにより変更することができ（例えば、装置筐体内のレンズ及びセンサを回転させることにより）、それにより、テレビ会議及び静止画及び／又は動画取得の両方に、単一の光学センサをタッチスクリーンディスプレイと共に使用し得る。
【０２６３】
[0294]  モバイル又は計算装置は、１つ又は複数の近接センサを含むこともできる。一実施形態では、近接センサは周辺機器インタフェースに結合される。代替的には、近接センサは、Ｉ／Ｏサブシステム内の入力コントローラに結合し得る。近接センサは、２００５年９月３０日に出願された「Proximity Detector In Handheld Device」という名称の米国特許出願第１１／２４１，８３９号、２００５年９月３０日に出願された「Proximity Detector In Handheld Device」という名称の米国特許出願第１１／２４０，７８８号、「Using Ambient Light Sensor To Augment Proximity Sensor Output」という名称の米国特許出願第１３／０９６，３８６号、２００６年１０月２４日に出願された「Automated Response To And Sensing Of User Activity In Portable Devices」という名称の米国特許出願第１３／０９６，３８６号、及び「Methods And Systems For Automatic Configuration Of Peripherals」という名称の米国特許出願第１１／６３８，２５１号に記載されるように実行し得、これらは全体的に、参照により本明細書に援用される。ある実施形態では、近接センサは、多機能装置がユーザの耳の近くに配置されるとき（例えば、ユーザが電話を掛けるとき）、タッチスクリーンをオフにし、ディセーブルする。ある実施形態では、近接センサは、装置がユーザのポケット、ハンドバック、又は他の暗いエリアにあるとき、画面をオフ状態に保ち、装置がロック状態であるときの不必要な電池消費を回避する。
【０２６４】
[0295]  ある実施形態では、メモリに記憶されたソフトウェア構成要素は、オペレーティングシステム、通信モジュール（又は命令セット）、接触／移動モジュール（又は命令セット）、グラフィックスモジュール（又は命令セット）、テキスト入力モジュール（又は命令セット）、全地球測位システム（ＧＰＳ）モジュール（又は命令セット）、及びアプリケーション（又は命令セット）を含み得る。
【０２６５】
[0296]  オペレーティングシステム（例えば、Darwin、RTXC、LINUX、UNIX、ＯＳ  Ｘ、WINDOWS、又はVxWorks等の埋め込みオペレーティングシステム）は、一般システムアスク（例えば、メモリ管理、記憶装置制御、電力管理等）を制御し管理し、様々なハードウェア構成要素及びソフトウェア構成要素間の通信を促進する様々なソフトウェア構成要素及び／又はドライバを含む。
【０２６６】
[0297]  通信モジュールは、１つ又は複数の外部ポートを介した他の装置との通信を促進し、ネットワークシステム回路及び／又は外部ポートにより受信されるデータを扱う様々なソフトウェア構成要素も含む。外部ポート（例えば、ユニバーサルシリアルバス（ＵＳＢ）、ファイアワイヤ等）は、他の装置に直接、又はネットワークシステムを介して間接的に結合するように構成される。ある実施形態では、外部ポートは、iPod（Apple Computer, Inc.の商標）装置で使用される３０ピンコネクタと同じであるか、又は同様及び／又は互換性を有するマルチピン（例えば、３０ピン）コネクタである。
【０２６７】
[0298]  接触／移動モジュールは、タッチスクリーン（ディスプレイコントローラと併せて）及び他のタッチセンシティブ装置（例えば、タッチパッド又は物理的なクリックホィール）との接触を検出し得る。接触／移動モジュールは、接触が生じたか否かの判断、接触の移動があるか否かの判断及びタッチスクリーンにわたる移動の追跡、接触が破られた（すなわち、接触がなくなった）か否かの判断等の接触の検出に関連する様々な動作を実行する様々なソフトウェアを含む。接触点の移動の特定は、接触点のスピード（大きさ）、速度（大きさ及び方向）、及び／又は加速度（大きさ及び／又は方向の変化）を特定することを含み得る。これらの動作は、単一の接触（例えば、指１本の接触）又は複数の同時接触（例えば、「マルチタッチ」／複数の指の接触）に適用し得る。ある実施形態では、接触／移動モジュール及びディスプレイコントローラは、タッチパッドへの接触も検出する。ある実施形態では、接触／移動モジュール及びコントローラは、クリックホィールとの接触を検出する。
【０２６８】
[0299]  メモリに記憶し得る他のアプリケーションの例としては、他の言語処理アプリケーション、ＪＡＶＡ対応アプリケーション、暗号化、デジタル権利管理、音声認識及び音声複製が挙げられる。
【０２６９】
[0300]  タッチスクリーン、ディスプレイコントローラ、接触モジュール、グラフィックスモジュール、及びテキスト入力モジュールと併せて、接触モジュールを使用して、氏名をアドレス帳に追加すること、氏名をアドレス帳から削除すること、電話番号、電子メールアドレス、物理的な住所、又は他の情報を氏名に関連付けること、画像を氏名に関連付けること、氏名を分類しソートすること、電話、音声会議、電子メール、又はＩＭによる通信を開始及び／又は促進するために、電話番号又は電子メールアドレスを提供すること等を含むアドレス帳又はコンタクトリストを管理し得る。
【０２７０】
モバイル装置に位置するウェアラブル装置
[0301]  本開示のディスプレイは、様々な設定で使用することができる。例えば、図１８に示されるように、ディスプレイはリストバンドに搭載することができる。別の例として、ディスプレイは、モバイル装置、衣服、又は他の物体に搭載することができる。図１９Ａ〜図１９Ｋは、モバイル装置等の様々な物体に搭載することができるウェアラブル装置を示す。図１９Ａ〜図１９Ｅでは、表示装置は、ケースとしてモバイル装置に搭載可能であり得る。非限定的な例として、ウェアラブル装置は、通常のモバイル装置保護ケースと同様に、巻かれて、次にモバイル装置に結合されるケースのようにフィットする。ケースはＯＬＥＤ及び／又は可撓性ＯＬＥＤを有する。ウェアラブル装置は、モバイル装置と通信する。一実施形態では、ウェアラブル装置は、ウェアラブル装置に表示されるものと全く同様の写真、画像、言葉を表現している単純な画面である。
【０２７１】
[0302]  表示装置は、湾曲又は非線形外形を有することができる。表示装置は可撓性を有することができる。図１９Ｆ及び図１９Ｇは、曲線である表示装置を示す。横から、表示装置は非線形外形を有する。
【０２７２】
[0303]  図１９Ｈ〜図１９Ｊは、支持部材から取り外し可能なディスプレイを有する表示装置を示す。ディスプレイは、ディスプレイを支持部材にしっかりと係合できるようにする相手方ピンを有することができる。支持部材は、図１９Ｋに示されるように、支持部材を衣服に取り付けられるようにするピンを有することができる。
【０２７３】
[0304]  一実施形態では、モバイル装置はBluetooth（登録商標）及び／又はＷｉＦｉを使用して、ウェアラブル装置画面と対話し通信する。
【０２７４】
[0305]  一実施形態では、ウェアラブル装置は、特定のBluetoothプロファイルを解釈するように構成され、Bluetoothプロファイルは、可能なアプリケーションの定義であり、Bluetooth対応装置が他のBluetooth装置と通信するために使用する一般挙動を指定する。これらのプロファイルは、開始から通信をパラメータ化し制御する設定を含む。プロファイルへの順守により、双方向リンクが有効になる前に新しいパラメータを送信する時間が節減される。多くの異なるタイプのアプリケーション又は装置の使用事例を記載した広範囲のBluetoothプロファイルがある。
【０２７５】
[0306]  様々な実施形態では、モバイル装置及びウェアラブル装置は、以下を有することが可能である：携帯電話とウェアラブル装置との通信及び無線制御、密閉区域にあり、帯域幅が殆ど必要とされない場所でのウェアラブル装置間の無線ネットワーキング、ファイル転送、交信詳細、カレンダー予約、及びＯＢＥＸとの装置間のリマインダー、前のＲＳ−２３２シリアル通信の置換、より高いＵＳＢ帯域幅が必要とされず、ケーブルなしの接続が望ましい低帯域幅用途向け、Bluetooth対応ウェアラブル装置からの広告用掲示板を他の発見可能なBluetooth装置に広告する小さな広告の送信、モバイル装置を使用したウェアラブル装置でのダイアルアップインターネットアクセス、ウェアラブル装置からの健康センサデータの短距離伝送、ウェアラブル装置のリアルタイムロケーションシステム（ＲＴＬＳ）、及びパーソナルセキュリティアプリケーション。Ｗｉ−Ｆｉもウェアラブル装置の同様のアプリケーションと共に利用することができる。
【０２７６】
[0307]  一実施形態では、ウェアラブル装置は、ウェアラブル装置がモバイル装置と通信できるようにするBluetoothアダプタに結合することができる。
【０２７７】
[0308]  請求項に記載される主題の様々な実施形態の上記説明は、例示及び説明の目的で提供されている。網羅的である、すなわち、請求項に記載される主題を開示される厳密な形態に限定することは意図されない。多くの変更及び変形が当業者に明らかになる。特に、「構成要素」という概念は、上述したシステム及び方法の実施形態において使用されるが、そのような概念が、クラス、メソッド、タイプ、インタフェース、モジュール、オブジェクトモデル、及び他の適する概念等の均等な概念と同義で使用可能なことが明らかである。実施形態は、本発明の原理及びその実用を最良に説明するために選ばれ説明され、それにより、関連分野の当業者が請求項に記載される主題、様々な実施形態、及び意図される特定の使用に適する様々な変更を用いた実施形態を理解することができる。
【０２７８】
コンピュータ制御システム
[0309]  本開示は、本開示の方法を実施するようにプログラムされるコンピュータ制御システムを提供する。図２０は、本開示の方法を実施するようにプログラムされるか、又は別の方法で構成されるコンピュータシステム２００１を示す。コンピュータシステム２００１は中央演算処理装置（ＣＰＵ、本明細書では「プロセッサ」及び「コンピュータプロセッサ」とも）２００５を含み、ＣＰＵ２００５は、シングルコア若しくはマルチコアプロセッサ又は並列処理用の複数のプロセッサであることができる。コンピュータシステム２００１は、メモリ又はメモリロケーション２０１０（例えば、ランダムアクセスメモリ、読み取り専用メモリ、フラッシュメモリ）、電子記憶ユニット２０１５（例えば、ハードディスク）、１つ又は複数の他のシステムと通信するための通信インタフェース２０２０（例えば、ネットワークアダプタ）、及びキャッシュ、他のメモリ、データ記憶装置、及び／又は電子ディスプレイアダプタ等の周辺機器２０２５も含む。メモリ２０１０、記憶ユニット２０１５、インタフェース２０２０、及び周辺機器２０２５は、通信バス（実線）を通してマザーボード等のＣＰＵ２００５と通信する。記憶ユニット２０１５は、データを記憶するデータ記憶ユニット（又はデータリポジトリ）であることができる。コンピュータシステム２００１は、通信インタフェース２０２０を用いてコンピュータネットワーク（「ネットワーク」）２０３０に動作可能に結合することができる。ネットワーク２０３０は、インターネット、インターネット及び／又はエクストラネット、又はインターネットと通信するイントラネット及び／又はエクストラネットであることができる。ネットワーク２０３０は、ある場合には、電気通信網及び／又はデータ網である。ネットワーク２０３０は、クラウド計算等の分散計算を可能にすることができる１つ又は複数のコンピュータサーバを含むことができる。ネットワーク２０３０は、ある場合には、コンピュータシステム２００１を用いて、ピアツーピアネットワークを実施することができ、ピアツーピアネットワークは、コンピュータシステム２００１に結合された装置が、クライアント又はサーバとして挙動できるようにし得る。
【０２７９】
[0310]  ＣＰＵ２００５は、プログラム又はソフトウェアで実施することができる一連の機械可読命令を実行することができる。命令は、メモリ２０１０等のメモリロケーションに記憶し得る。命令はＣＰＵ２００５に向けることができ、命令は続けて、本開示の方法を実施するように、ＣＰＵ２００５をプログラム又は別の方法で構成することができる。ＣＰＵ２００５により実行される動作の例としては、フェッチ、デコード、実行、及びライトバックを挙げることができる。
【０２８０】
[0311]  ＣＰＵ２００５は、集積回路等の回路の一部であることができる。システム２００１の１つ又は複数の他の構成要素は、回路に含めることができる。ある場合には、回路は特定用途向け集積回路（ＡＳＩＣ）である。
【０２８１】
[0312]  記憶ユニット２０１５は、ドライバ、ライブラリ、及び保存されたプログラム等のファイルを記憶することができる。記憶ユニット２０１５は、ユーザデータ、例えば、ユーザ嗜好及びユーザプログラムを記憶することができる。コンピュータシステム２００１は、ある場合には、イントラネット又はインターネットを通してコンピュータシステム２００１と通信するリモートサーバに配置される等、コンピュータシステム２００１に外部の１つ又は複数の追加のデータ記憶ユニットを含むことができる。
【０２８２】
[0313]  コンピュータシステム２００１は、ネットワーク２０３０を通して１つ又は複数のリモートコンピュータシステムと通信することができる。例えば、コンピュータシステム２００１は、ユーザのリモートコンピュータシステムと通信することができる。リモートコンピュータシステムの例は、パーソナルコンピュータ（例えば、ポータブルＰＣ）、スレート又はタブレットＰＣ（例えば、Apple（登録商標）ｉＰａｄ、Samsung（登録商標）Galaxy Tab）、電話、スマートフォン（例えば、Apple（登録商標）IPhone、Android対応装置、Blackberry（登録商標））、又は個人情報端末を含む。ユーザは、ネットワーク２０３０を介してコンピュータシステム２００１にアクセスすることができる。
【０２８３】
[0314]  本明細書に記載される方法は、例えば、メモリ２０１０又は電子記憶ユニット２０１５等のコンピュータシステム２００１の電子記憶ロケーションに記憶された機械（例えば、コンピュータプロセッサ）実行可能コードにより実施することができる。機械実行可能又は機械可読コードは、ソフトウェアの形態で提供することができる。使用中、コードはプロセッサ２００５により実行することができる。ある場合には、コードは、記憶ユニット２０１５から検索し、メモリ２０１０に記憶して、プロセッサ２００５によるアクセスに向けて準備することができる。幾つかの状況では、電子記憶ユニット２０１５は除外することができ、機械実行可能命令はメモリ２０１０に記憶される。
【０２８４】
[0315]  コードは、コードを実行するように構成されるプロセッサを有する機械と併用するように予めコンパイル及び構成することができ、又は実行時中にコンパイルすることができる。コードは、予めコンパイルされるか、又は実行時にコンパイルして実行することができるように選択することができるプログラミング言語で供給することができる。
【０２８５】
[0316]  コンピュータシステム２００１等の本明細書に記載されるシステム及び方法の態様は、プログラミングで実施することができる。本技術の様々な態様は、通常、あるタイプの機械可読媒体で運ばれるか、又は実施される機械（又はプロセッサ）実行可能コード及び／又は関連するデータの形態の「製品」又は「製造品」として考え得る。機械実行可能コードは、メモリ（例えば、読み取り専用メモリ、ランダムアクセスメモリ、フラッシュメモリ）又はハードディスク等の電子記憶ユニットに記憶することができる。「記憶装置」タイプ媒体は、ソフトウェアプログラミングのために随時非一時的記憶を提供し得る、様々な半導体メモリ、テープドライブ、ディスクドライブ等のコンピュータ、プロセッサ等、又は関連するモジュールの有形メモリの任意又は全てを含むことができる。ソフトウェアの全て又は部分は、時折、インターネット又は様々な他の電気通信ネットワークを通して通信し得る。そのような通信は、例えば、ソフトウェアをあるコンピュータ又はプロセッサから別のコンピュータ又はプロセッサに、例えば、管理サーバ又はホストコンピュータからアプリケーションサーバのコンピュータプラットフォームにロードできるようにし得る。したがって、ソフトウェア要素を運び得る別のタイプの媒体としては、ローカル装置間の物理的インタフェースを介して、有線及び光学陸線ネットワークを通して、並びに様々なエアリンクを介して使用される等の光波、電波、及び電磁波が挙げられる。有線又は無線リンク、光学リンク等のそのような波を搬送する物理的要素も、ソフトウェアを運ぶ媒体として見なし得る。本明細書で使用される場合、非一時的有形「記憶」媒体に制限されない限り、コンピュータ又は機械「可読媒体」等の用語は、実行のためにプロセッサに命令を提供することに参加する任意の媒体を指す。
【０２８６】
[0317]  したがって、コンピュータ実行可能コード等の機械可読媒体は、有形記憶媒体、搬送波媒体、又は物理的伝送媒体を含むが、これらに限定されない多くの形態をとり得る。不揮発性記憶媒体としては、例えば、図面に示されるデータベース等の実施に使用し得る等の任意のコンピュータ等内の任意の記憶装置等の光ディスク又は磁気ディスクが挙げられる。揮発性記憶媒体としては、そのようなコンピュータプラットフォームのメインメモリ等の動的メモリが挙げられる。有形伝送媒体としては、コンピュータシステム内のバスを構成するワイヤを含め、同軸ケーブル、銅線、及び光ファイバが挙げられる。搬送波伝送媒体は、無線周波（ＲＦ）通信及び赤外線（ＩＲ）データ通信中に生成される等の電気信号、電磁信号、音響波、光波の形態をとり得る。したがって、一般的な形態のコンピュータ可読媒体は、例えば、フロッピーディスク、フレキシブルディスク、ハードディスク、磁気テープ、任意の他の磁気媒体、ＣＤ−ＲＯＭ、ＤＶＤ若しくはＤＶＤ−ＲＯＭ、任意の他の光学媒体、パンチカード紙テープ、穴のパターンを有する任意の他の物理的記憶媒体、ＲＡＭ、ＲＯＭ、ＰＲＯＭ及びＥＰＲＯＭ、フラッシュＥＰＲＯＭ、任意の他のメモリチップ若しくはカートリッジ、データ若しくは命令を輸送する搬送波、そのような搬送波を輸送するケーブル若しくはリンク、又はプログラミングコード及び／又はデータを読み出し得る任意の他の媒体を含む。コンピュータ可読媒体のこれらの形態の多くは、実行するためにプロセッサに１つ又は複数の命令の１つ又は複数のシーケンスの搬送に関わり得る。
【０２８７】
[0318]  コンピュータシステム２００１は、例えば、ユーザが表示するメディアを選択できるようにするアプリケーション（アプリ）を提供するユーザインタフェース（ＵＩ）２０４０を含む電子ディスプレイ２０３５を含むか、又は通信することができる。ＵＩの例としては、限定ではなく、グラフィカルユーザインタフェース（ＧＵＩ）及びウェブベースのユーザインタフェースが挙げられる。
【０２８８】
[0319]  本開示のアプリは、様々な特徴を提供することができ、様々な利点を可能にすることができる。アプリは、ユーザが気にしていることを表現すること、理念について学習すること、及び他人と繋がり、理念、博愛、及び自己表現の周囲の社会経験を生み出すことについてのものであり得る。ユーザは、ユーザが気にしているものを装着しシェアし、繋がって行動して、社会的影響を及ぼし得る。アプリは仮想ソーシャルネットワークであり得、ユーザが表現を他の個人に提供できるようにする。これは、気付きを生み出し、リソースを流し、社会的影響の周囲のムーブメントを生み出すことであり得る。アプリにより、ユーザは、新しい慈善団体及び組織、利点及び機会（例えば、博愛機会）についての学習、寄付、及び他者の教育についての毎月又は他の時間枠の目標を設定することができる。アプリにより、ユーザは、ユーザが気にしていることを表現することができ、学習し、ユーザの様々な関心の周囲での繋がることを可能にする。
【０２８９】
[0320]  アプリを使用して、表現を作成し、既存の表現をシェアし、表現を売買し、慈善団体に結びついて寄付し、社会及び世界に利することができる理念等の理念の周囲で同様の関心を共有する人々と会って繋がることができる。アプリは、教育の改善から様々な社会問題（例えば、動物の権利、人権、汚染等）の最小化又は対処まで、人類にポジティブに影響し得る理念にフォーカスすることができる。
【０２９０】
[0321]  アプリは、表現の市場を提供することができる。アプリは、様々な表現を可能にすることができる。ある例では、アプリにより、スタジアム内のユーザは、ライトショーの一部であることができ、アプリにより、ＧＰＳは、近接性及び関心の共有に基づいて個人同士が会うように案内することができ、アプリにより、ユーザは、表現の承認制スライドショーを作成することができ、アプリにより、様々な話題及び関心の周囲でのグローバル及びローカルな会話が可能になり、そのような会話を促進することができる。
【０２９１】
[0322]  アプリは、本開示の表示装置（例えば、ウェアラブル装置）と併用することができる。代替的には、アプリは、表示装置なしで使用することができる。アプリにより、ユーザは、アプリ上で「表現」している１つ又は複数の表現を装着しシェアすることができるように表示装置に接続することができる。アプリにより、ユーザは、友人を表現、ムーブメント、又は理念（例えば、博愛的理念）に参加するように招待することができるとともに、ソーシャルメディアに掲示することができる。
【０２９２】
[0323]  本開示の方法及びシステムは、１つ又は複数のアルゴリズムとして実施することができる。アルゴリズムは、中央演算処理装置２００５により実行されると、ソフトウェアとして実施することができる。
【０２９３】
[0324]  図２１は制御ユニット２１００を示す。制御ユニット２１００は、電池（例えば、リチウムイオンポリマー電池）、ユニバーサルシリアルバス（ＵＳＢ）ポートと通信する電池充電器、加速度計、第１のボタン、第２のボタン、Bluetooth、第１のメモリ（例えば、同期動的ランダムアクセスメモリ又はＳＤＲＡＭ）、第２のメモリ（例えば、フラッシュメモリ）、ディスプレイドライバ、液晶ディスプレイ（ＬＣＤ）、及び光センサを含め、様々な他のユニットと通信するマイクロコントローラを含む。制御ユニット２１００は、本開示の表示装置又はシステムに統合することができる。例えば、制御ユニット２１００は、表示装置（例えば、ボタンディスプレイ）の回路基板として統合することができる。
【０２９４】
例１
[0325]  図２２Ａ〜図２２Ｄは、ユーザにより選択されたメディアを表示するように構成される表示装置２２００を示す。図２２Ａは、表示装置の分解組立側面図を示す。表示装置は、円形ディスプレイ、プリント回路基板組立体（ＰＣＢＡ）、電池、バック筐体（又はキャリア）、及びスチールカバーを含む。表示装置は厚さ約１３．４８ｍｍを有する。内尾得構成要素（すなわち、ディスプレイ、ＰＣＢＡ、及び電池）は厚さ約９．８８ｍｍを有する。
【０２９５】
[0326]  図２２Ｂ及び図２２Ｃを参照すると、表示装置２２００は、ボタン２２０１、第１の磁石２２０２、及び第２の磁石２２０３を含む。第１の磁石２２０２及び第２の磁石２２０３は逆の極性を有し、それにより、表示装置２２００は、織物等の物体に対して固定することができる。代替として、表示装置２２００は、ピン２２０５と係合するリング２２０４を含むことができ、それにより、表示装置２２００を物体に対して固定することができる。
【０２９６】
[0327]  図２２Ｄは、表示装置２２００の様々な構成要素を示す。表示装置２２００は、ボタン２２０１、アンテナ２２０６、及びＵＳＢポート２２０７を含む。ＵＳＢポート２２０７は、表示装置２２００の電池を充電するのに使用することができる。
【０２９７】
[0328]  図２３Ａ〜図２３Ｅは、表示装置２２００等の表示装置の様々な構造段階を示す。図２３Ａは、表示装置２２００の円形表示画面を示す。図２３Ｂに示されるように、表示画面は、表示装置２２００のバック筐体に固定することができる。
【０２９８】
[0329]  図２３Ａを参照すると、表示画面はＰＣＢＡに接続される。表示画面の底面はＰＣＢＡの上部に結合される。図２３Ｂでは、ボタンはキャリアに挿入され、ＰＣＢＡは、ねじを使用してキャリアに固定される。図２３Ｃでは、レンズが、接着剤を使用してキャリアの上面に固定される。図２３Ｄでは、電池はスチール底部カバーの上面に固定される。組立体は、図２３Ｅに示されるように、キャリアの底面上のリップにスチール板を固定することにより完了する。
【０２９９】
[0330]  図２４は、表示画面を有する別の表示装置を示す。表示装置は両面ボタンも含む。
【０３００】
[0331]  別の例として、図２５は、屈曲コネクタ２５０１と、アクティブタッチエリア２５０２とを有する表示装置を示す。この表示装置は、容量性タッチスクリーン等のタッチスクリーンである表示画面との併用に適し得る。
【０３０１】
[0332]  本開示の表示画面は、表示画面にわたるスワイプ等のジェスチャと併用するように構成し得る。例えば、メディアは、表示画面をスワイプすることによりユーザにより選択し得る。別の例として、ユーザは、左から右、右から左、上から下、又は下から上にスワイプすることによりメディアをスクロールし得る。
【０３０２】
例２
[0333]  本開示は、ウェアラブル装置の様々な非限定的な例を提供する。図２６は、ボタンの形態であるユーザのウェアラブル装置の例を示す。ウェアラブル装置の表示画面は、メディア（例えば、矢印、木、及び自転車）を含む表現（例えば、３つのバンド、又は矢印を有する「STAND UP TO CANCER（ガンのために立ち上がろう）」及び「Save the Planet（地球を救おう）」）を示す。表現は、ユーザの電子装置から引き出し得る。表現は、電子装置で作成するか、又はサーバ等の別のシステム又は装置からダウンロードし得る。図３０は、ユーザのシャツにウェアラブル装置を装着しているユーザを示す。
【０３０３】
[0334]  図２７は、磁気ロックを含む磁気アタッチメントを有するウェアラブル装置を示す。磁気アタッチメントは、ウェアラブル装置をユーザの衣服に固定できるようにし得る。
【０３０４】
[0335]  図２８は、クリップを有するウェアラブル装置を示す。クリップにより、ウェアラブル装置をユーザの衣服又は別の物体（例えば、バッグ）に固定することができる。
【０３０５】
[0336]  図２９は、ストラップを有するウェアラブル装置を示す。ストラップにより、ウェアラブル装置をユーザの衣服又は別の物体（例えば、バッグ）に固定することができる。
【０３０６】
[0337]  図３１は、ウェアラブル装置を充電する誘導充電エリアを有する充電器を示す。ユーザは、自動充電のために充電エリアにウェアラブル装置を配置し得る。
【０３０７】
[0338]  図３２Ａ及び図３２Ｂは、ウェアラブル装置の別の例の分解組立図を示す。ウェアラブル装置は、ＯＬＥＤであることができる発光ダイオード（ＬＥＤ）ディスプレイを含む。ウェアラブル装置は、誘導充電のための充電コイルを含むことができる。
【０３０８】
[0339]  図３３Ａ及び図３３Ｂは、ウェアラブル装置の別の例の分解組立側面図及び断面図をそれぞれ示す。ウェアラブル装置は、１．４７ｍｍディスプレイに隣接した１ミリメートル（ｍｍ）レンズを含む。
【０３０９】
[0340]  図３４Ａ及び図３４Ｂは、ウェアラブル装置の別の例を示す。図３４Ａは、ウェアラブル装置の分解組立側面図である。図３４Ｂは、ウェアラブル装置の傾斜図である。ウェアラブル装置は、円形ボタンの形態であるが、他の形状を使用することも可能である。
【０３１０】
[0341]  本発明の好ましい実施形態を本明細書に示し説明したが、そのような実施形態が単なる例示として提供されることが当業者には明らかである。本発明が本明細書内に提供される特定の例により限定されることは意図されない。本発明は上記明細書を参照して説明されたが、本明細書の実施形態の説明及び例示は、限定の意味で解釈されることが意味されない。本発明から逸脱せずに、これより、多くの変形、変更、及び置換を当業者は思い付く。さらに、本発明の全ての態様が、本明細書に記載される特定の図、構成、及び相対位置に限定されず、様々な状況及び変数に依存することが理解されるものとする。本発明を実施するに当たり、本明細書に記載される本発明の実施形態への様々な代替を利用し得ることを理解されたい。したがって、本発明が、任意のそのような代替、変更、変形、又は均等物も包含することが意図される。以下の特許請求の範囲が本発明の範囲を規定し、それにより、これらの特許請求の範囲及びそれらの均等物内の方法及び構造が包含されることが意図される。
【図１】
0006731406.tif 000002
【図２】
0006731406.tif 000003
【図３】
0006731406.tif 000004
【図４】
0006731406.tif 000005
【図５】
0006731406.tif 000006
【図６Ａ】
0006731406.tif 000007
【図６Ｂ】
0006731406.tif 000008
【図７Ａ】
0006731406.tif 000009
【図７Ｂ】
0006731406.tif 000010
【図８】
0006731406.tif 000011
【図９】
0006731406.tif 000012
【図１０】
0006731406.tif 000013
【図１１Ａ】
0006731406.tif 000014
【図１１Ｂ】
0006731406.tif 000015
【図１１Ｃ】
0006731406.tif 000016
【図１１Ｄ】
0006731406.tif 000017
【図１１Ｅ】
0006731406.tif 000018
【図１２】
0006731406.tif 000019
【図１３】
0006731406.tif 000020
【図１４】
0006731406.tif 000021
【図１５Ａ】
0006731406.tif 000022
【図１５Ｂ】
0006731406.tif 000023
【図１５Ｃ】
0006731406.tif 000024
【図１６Ａ】
0006731406.tif 000025
【図１６Ｂ】
0006731406.tif 000026
【図１７】
0006731406.tif 000027
【図１８】
0006731406.tif 000028
【図１９Ａ】
0006731406.tif 000029
【図１９Ｂ】
0006731406.tif 000030
【図１９Ｃ】
0006731406.tif 000031
【図１９Ｄ】
0006731406.tif 000032
【図１９Ｅ】
0006731406.tif 000033
【図１９Ｆ】
0006731406.tif 000034
【図１９Ｇ】
0006731406.tif 000035
【図１９Ｈ】
0006731406.tif 000036
【図１９Ｉ】
0006731406.tif 000037
【図１９Ｊ】
0006731406.tif 000038
【図１９Ｋ】
0006731406.tif 000039
【図２０】
0006731406.tif 000040
【図２１】
0006731406.tif 000041
【図２２Ａ】
0006731406.tif 000042
【図２２Ｂ】
0006731406.tif 000043
【図２２Ｃ】
0006731406.tif 000044
【図２２Ｄ】
0006731406.tif 000045
【図２３Ａ】
0006731406.tif 000046
【図２３Ｂ】
0006731406.tif 000047
【図２３Ｃ】
0006731406.tif 000048
【図２３Ｄ】
0006731406.tif 000049
【図２３Ｅ】
0006731406.tif 000050
【図２４】
0006731406.tif 000051
【図２５】
0006731406.tif 000052
【図２６】
0006731406.tif 000053
【図２７】
0006731406.tif 000054
【図２８】
0006731406.tif 000055
【図２９】
0006731406.tif 000056
【図３０】
0006731406.tif 000057
【図３１】
0006731406.tif 000058
【図３２Ａ】
0006731406.tif 000059
【図３２Ｂ】
0006731406.tif 000060
【図３３Ａ】
0006731406.tif 000061
【図３３Ｂ】
0006731406.tif 000062
【図３４Ａ】
0006731406.tif 000063
【図３４Ｂ】
0006731406.tif 000064